(57)【要約】【課題】  アンテナ特性を可変制御可能なループ状のアンテナ装置を提供する。【解決手段】  アンテナ装置１００において、アンテナ素子部１０は、ループ状導体１と、バラクタダイオード２，３と、給電部４とを含む。ループ状導体１は、略正方形に配置された直線導体１１〜１４からなる。バラクタダイオード２，３は、それぞれ、ループ状導体１に逆直列に装荷される。同軸ケーブル２０の芯導体２１は、給電部４の端子４１に接続され、被覆導体２３は、給電部４の端子４２に接続される。直流電源３０は、同軸ケーブル２０の芯導体２１と被覆導体２３とを介して給電部４の端子４１，４２間に極性の異なる直流電圧を印加し、交流電源４０は、同軸ケーブル２０の芯導体２１と被覆導体２３とを介して給電部４の端子４１，４２間に交流電圧を印加する。【選択図】        図１
2006180225.tif 000002
【特許請求の範囲】
【請求項１】
ループ形状からなるループ状導体と、
前記ループ状導体に逆直列に装荷されたｎ（ｎは２以上の整数）個の可変容量素子と、
前記ループ状導体中に設けられ、極性の異なる直流電圧を前記ループ状導体に供給するための第１の給電部と、
前記ループ状導体中に設けられ、前記ループ状導体に交流電圧を供給するための第２の給電部とを備える、アンテナ装置。
【請求項２】
前記第１の給電部は、前記第２の給電部と同じ位置に配置される、請求項１に記載のアンテナ装置。
【請求項３】
略平行な第１および第２の導体線からなるケーブルと、
前記第１の導体線と前記第２の導体線との間に前記直流電圧を印加する直流電源と、
前記第１の導体線と前記第２の導体線との間に前記交流電圧を印加する交流電源とを更に備え、
前記ループ状導体は、前記給電部を構成する第１および第２の端子部に接続され、
前記第１の導体線は、前記第１の端子部に接続され、
前記第２の導体線は、前記第２の端子部に接続される、請求項２に記載のアンテナ装置。
【請求項４】
前記第１の給電部は、前記第２の給電部と異なる位置に配置される、請求項１に記載のアンテナ装置。
【請求項５】
前記ループ状導体の内周側に設けられた誘電部材を更に備える、請求項１から請求項４のいずれか１項に記載のアンテナ装置。
【請求項６】
前記ループ状導体と、前記ｎ個の可変容量素子と、前記第１および第２の給電部とを覆う誘電部材を更に備える、請求項１から請求項４のいずれか１項に記載のアンテナ装置。
【請求項７】
前記ループ状導体は、前記第２の給電部を共有する複数のループ状導体からなる、請求項１から請求項６のいずれか１項に記載のアンテナ装置。
【請求項８】
前記ｎ個の可変容量素子は、前記複数のループ状導体の全てに偶数個づつ前記逆直列に装荷される、請求項７に記載のアンテナ装置。
【請求項９】
前記ｎ個の可変容量素子は、前記複数のループ状導体の共有部に前記逆直列に装荷される、請求項７に記載のアンテナ装置。
【発明の詳細な説明】
【技術分野】
【０００１】
この発明は、ループ状導体を備えるアンテナ装置に関するものである。
【背景技術】
【０００２】
非特許文献１は、円形ループアンテナを開示する。この円形ループアンテナは、給電点と、インピーダンス部とを有する。インピーダンス部は、給電点と対称な位置に設けられる。
【０００３】
抵抗またはリアクタンスのみが装荷された円形ループアンテナにおいては、電圧定在波比の最小値が、必ず、存在し、電圧定在波比をそれ以上改善できない。また、電圧定在波比を改善するためには、ループ半径が小さいとき（０．５波長程度）、抵抗負荷を装荷することが有効であり、ループ半径が大きいとき、リアクタンス負荷を装荷することが有効である。
【０００４】
このように、非特許文献１は、従来の円形ループアンテナにおいては、装荷するインピーダンスの種類によってアンテナ特性が異なることを開示する。
【非特許文献１】鹿子嶋  憲一、関口  利男，“インピーダンスが装荷された円形ループアンテナの設計”，電子通信学会論文誌，Ｖｏｌ．５６−Ｂ  Ｎｏ．７，ｐ３０３−３１０，１９７３，Ｊｕｌｙ．
【発明の開示】
【発明が解決しようとする課題】
【０００５】
しかし、従来の円形ループアンテナにおいては、装荷されたインピーダンスは、可変制御されないため、一旦、円形ループアンテナを作製すれば、その作製された円形ループアンテナのアンテナ特性を可変制御することができないという問題がある。
【０００６】
そこで、この発明は、かかる問題を解決するためになされたものであり、その目的は、アンテナ特性を可変制御可能なループ状のアンテナ装置を提供することである。
【課題を解決するための手段】
【０００７】
この発明によれば、アンテナ装置は、ループ状導体と、ｎ（ｎは２以上の整数）個の可変容量素子と、第１および第２の給電部とを備える。ループ状導体は、ループ形状からなる。ｎ個の可変容量素子は、ループ状導体に逆直列に装荷される。第１の給電部は、ループ状導体中に設けられ、極性の異なる直流電圧をループ状導体に供給するために用いられる。第２の給電部は、ループ状導体中に設けられ、ループ状導体に交流電圧が供給するために用いられる。
【０００８】
好ましくは、第１の給電部は、第２の給電部と同じ位置に配置される。
【０００９】
好ましくは、アンテナ装置は、ケーブルと、直流電源と、交流電源とを更に備える。ケーブルは、略平行な第１および第２の導体線からなる。直流電源は、第１の導体線と第２の導体線との間に直流電圧を印加する。交流電源は、第１の導体線と第２の導体線との間に交流電圧を印加する。そして、ループ状導体は、給電部を構成する第１および第２の端子部に接続される。また、第１の導体線は、第１の端子部に接続され、第２の導体線は、第２の端子部に接続される。
【００１０】
好ましくは、第１の給電部は、第２の給電部と異なる位置に配置される。
【００１１】
好ましくは、アンテナ装置は、誘電部材を更に備える。誘電部材は、ループ状導体の内周側に設けられる。
【００１２】
好ましくは、アンテナ装置は、誘電部材を更に備える。誘電部材は、ループ状導体と、ｎ個の可変容量素子と、第１および第２の給電部とを覆う。
【００１３】
好ましくは、ループ状導体は、第２の給電部を共有する複数のループ状導体からなる。
【００１４】
好ましくは、ｎ個の可変容量素子は、複数のループ状導体の全てに偶数個づつ逆直列に装荷される。
【００１５】
好ましくは、ｎ個の可変容量素子は、複数のループ状導体の共有部に逆直列に装荷される。
【発明の効果】
【００１６】
この発明によるアンテナ装置においては、複数個の可変容量素子は、ループ状導体中に逆直列に設けられているので、一方の極性を有する直流電圧が第１の給電部からループ状導体に供給されると、ループ状導体を含む平面内において給電部を通過する基軸に対して一方側に設けられた可変容量素子がほぼ開放され、かつ、基軸に対して他方側に設けられた可変容量素子がほぼ短絡され、他方の極性を有する直流電圧が第１の給電部からループ状導体に供給されると、基軸に対して一方側に設けられた可変容量素子がほぼ短絡され、かつ、基軸に対して他方側に設けられた可変容量素子がほぼ開放される。そして、ループ状導体のうち、ほぼ短絡された可変容量素子が設けられた部分に交流電流が流れ、直流電圧の極性が切換わることにより、交流電流が流れる部分がループ状導体の異なる２つの位置の間で切換わる。その結果、アンテナ特性が変わる。
【００１７】
従って、この発明によれば、ループ状導体を用いたアンテナ装置において、アンテナ特性を可変制御できる。
【発明を実施するための最良の形態】
【００１８】
本発明の実施の形態について図面を参照しながら詳細に説明する。なお、図中同一または相当部分には同一符号を付してその説明は繰返さない。
【００１９】
［実施の形態１］
図１は、この発明の実施の形態１によるアンテナ装置の概略図である。実施の形態１によるアンテナ装置１００は、アンテナ素子部１０と、同軸ケーブル２０と、直流電源３０と、交流電源４０とを備える。
【００２０】
アンテナ素子部１０は、ループ状導体１と、バラクタダイオード２，３と、給電部４とを含む。ループ状導体１は、４本の直線導体１１〜１４を略正方形に配置した構造からなる。そして、アンテナ装置１００により送受信される電波の波長をλとしたとき、直線導体１１〜１４の各々は、λ／８の長さＬ１を有し、λ／１００の太さＷ１を有する。この場合、直線導体１１〜１４の各々の断面形状は、直径がＷ１である略円形である。
【００２１】
バラクタダイオード２は、カソードが直線導体１３側に配置されるように直線導体１２の略中点に装荷され、バラクタダイオード３は、カソードが直線導体１２側に配置されるように直線導体１３の略中点に装荷される。その結果、バラクタダイオード２，３は、端子４１と端子４２との間に逆直列に接続され、ループ状導体１中に逆直列に装荷される。また、給電部４は、端子４１，４２からなり、直流電圧ＤＣＶ１，ＤＣＶ２および交流電圧ＲＦＶが供給される。
【００２２】
ループ状導体１を含む平面において給電部４を通過する基軸をＡＸ１とした場合、ループ状導体１は、基軸ＡＸ１を中心とした対称なループ形状を有する。また、バラクタダイオード２，３は、それぞれ、直線導体１２，１３の中点に装荷される結果、基軸ＡＸ１を中心にして対称な位置に配置される。更に、給電部４は、基軸ＡＸ１とループ状導体１との交差部に配置される。
【００２３】
同軸ケーブル２０は、芯導体２１と、絶縁体２２と、被覆導体２３とを含む。絶縁体２２は、芯導体２１を覆う。被覆導体２３は、絶縁体２２を覆う。
【００２４】
給電部４の端子４１は、同軸ケーブル２０の芯導体２１に接続され、端子４２は、同軸ケーブル２０の被覆導体２３に接続される。
【００２５】
直流電源３０は、同軸ケーブル２０の芯導体２１と被覆導体２３との間に接続され、芯導体２１と被覆導体２３との間に極性が異なる直流電圧を選択的に印加する。交流電源４０は、同軸ケーブル２０の芯導体２１と被覆導体２３との間に接続され、芯導体２１と被覆導体２３との間に交流電圧を印加する。
【００２６】
図２は、図１に示すアンテナ装置１００の指向性を説明するための第１の概念図である。直流電源３０が同軸ケーブル２０の芯導体２１に＋１０Ｖの直流電圧ＤＣＶ１を印加し、被覆導体２３に−１０Ｖの直流電圧ＤＣＶ２を印加するとともに、交流電源４０が芯導体２１と被覆導体２３との間に交流電圧ＲＦＶを印加すると、芯導体２１は、＋１０Ｖの直流電圧ＤＣＶ１を給電部４の端子４１に供給し、被覆導体２３は、−１０Ｖの直流電圧ＤＣＶ２を給電部４の端子４２に供給し、芯導体２１および被覆導体２３は、端子４１，４２間に交流電圧ＲＦＶを供給する。
【００２７】
その結果、バラクタダイオード２は、ほぼ短絡（ショート）し、その容量は、例えば、９．３ｐＦになる。一方、バラクタダイオード３は、カソード側に＋１０Ｖの直流電圧が印加され、アノード側に−１０Ｖの直流電圧が印加される結果、２０Ｖの逆バイアスが印加される。その結果、バラクタダイオード３は、ほぼ開放（オープン）され、その容量は、例えば、０．７ｐＦになる。
【００２８】
そうすると、アンテナ素子部１０の直線導体１１に交流電流（ＲＦ電流とも言う。以下、同じ）が流れ、アンテナ素子部１０は、指向性ＤＩＲ１を有するビームＢＭ１を放射する。
【００２９】
図３は、図２に示すＡ方向から見たアンテナ素子部１０の側面図である。アンテナ素子部１０は、アンテナ素子部１０を含む平面内において直線導体１１に垂直な方向に指向性ＤＩＲ１を有するビームＢＭ１を放射する。
【００３０】
図４は、図１に示すアンテナ装置１００の指向性を説明するための第２の概念図である。直流電源３０が同軸ケーブル２０の芯導体２１に−１０Ｖの直流電圧ＤＣＶ１を印加し、被覆導体２３に＋１０Ｖの直流電圧ＤＣＶ２を印加するとともに、交流電源４０が芯導体２１と被覆導体２３との間に交流電圧ＲＦＶを印加すると、芯導体２１は、−１０Ｖの直流電圧ＤＣＶ１を給電部４の端子４１に供給し、被覆導体２３は、＋１０Ｖの直流電圧ＤＣＶ２を給電部４の端子４２に供給し、芯導体２１および被覆導体２３は、端子４１，４２間に交流電圧ＲＦＶを供給する。
【００３１】
その結果、バラクタダイオード３は、ほぼ短絡（ショート）し、その容量は、例えば、９．３ｐＦになる。一方、バラクタダイオード２は、カソード側に＋１０Ｖの直流電圧が印加され、アノード側に−１０Ｖの直流電圧が印加される結果、２０Ｖの逆バイアスが印加される。その結果、バラクタダイオード２は、ほぼ開放（オープン）され、その容量は、例えば、０．７ｐＦになる。
【００３２】
そうすると、アンテナ素子部１０の直線導体１４に交流電流が流れ、アンテナ素子部１０は、指向性ＤＩＲ２を有するビームＢＭ２を放射する。
【００３３】
図５は、図４に示すＢ方向から見たアンテナ素子部１０の側面図である。アンテナ素子部１０は、アンテナ素子部１０を含む平面内において直線導体１４に垂直な方向に指向性ＤＩＲ２を有するビームＢＭ２を放射する。
【００３４】
このように、アンテナ装置１００においては、一方の極性を有する直流電圧、即ち、端子４１側を正とする直流電圧がループ状導体１に印加されると、バラクタダイオード２がほぼ短絡され、かつ、バラクタダイオード３がほぼ開放され、他方の極性を有する直流電圧、即ち、端子４１側を負とする直流電圧がループ状導体１に印加されると、バラクタダイオード２がほぼ開放され、かつ、バラクタダイオード３がほぼ短絡される。そして、交流電流がほぼ短絡されたバラクタダイオード２または３が設けられた直線導体１１または直線導体１４に流れ、直流電圧の極性を切換えることにより、交流電流が流れる部分（直線導体１１または１４）が基軸ＡＸ１を中心にして対称な位置に切換えられる。その結果、ループ状導体１は、基軸ＡＸ１を中心にした対称な形状を有するので、アンテナ装置１００は、指向性が異なるビームＢＭ１またはビームＢＭ２を選択的に放射する。
【００３５】
従って、ループ状導体１を備えるアンテナ装置１００において、アンテナ特性を可変制御できる。
【００３６】
また、直流電圧ＤＣＶ１，ＤＣＶ２と交流電圧ＲＦＶとを１つの同軸ケーブル２０を介して１つの給電部４からループ状導体１に印加できる。そして、バラクタダイオード２，３は、ループ状導体１に逆直列に接続されているため、２つのバラクタダイオード２，３のうち、いずれか一方をほぼ短絡し、他方をほぼ開放することができるとともに、直流電圧の極性を切換えることによって、ほぼ短絡およびほぼ開放するバラクタダイオードを切換えることができる。
【００３７】
なお、アンテナ装置１００においては、直線導体１１〜１４の太さＷ１を太くすることによって、広帯域化を実現できる。
【００３８】
図６は、実施の形態１によるアンテナ装置の他の概略図である。アンテナ装置１００Ａは、図１に示すアンテナ装置１００のアンテナ素子部１０をアンテナ素子部１０Ａに代えたものであり、その他は、アンテナ装置１００と同じである。
【００３９】
アンテナ素子１０Ａは、ループ状導体１Ａと、バラクタダイオード２Ａ，３Ａと、給電部４Ａとを含む。ループ状導体１Ａは、４本の直線導体１１Ａ〜１４Ａを略正方形に配置した構造からなる。そして、直線導体１１Ａ〜１４Ａの各々は、λ／８の長さＬ１を有し、λ／１００の太さＷ１を有する。この場合、直線導体１１Ａ〜１４Ａの各々の断面形状は、直径がＷ１である略円形である。
【００４０】
バラクタダイオード２Ａは、カソードが直線導体１３Ａ側に配置されるように直線導体１２Ａの略中点に装荷され、バラクタダイオード３Ａは、カソードが直線導体１３Ａ側に配置されるように直線導体１４Ａの略中点に装荷される。その結果、バラクタダイオード２Ａ，３Ａは、端子４１Ａと端子４２Ａとの間に逆直列に接続され、ループ状導体１Ａ中に逆直列に装荷される。給電部４Ａは、端子４１Ａ，４２Ａからなり、直線導体１１Ａの略中点に配置される。また、給電部４Ａの端子４１Ａは、同軸ケーブル２０の芯導体２１に接続され、端子４２Ａは、同軸ケーブル２０の被覆導体２３に接続される。その結果、給電部４Ａには、直流電圧ＤＣＶ１，ＤＣＶ２および交流電圧ＲＦＶが供給される。
【００４１】
ループ状導体１Ａを含む平面において給電部４Ａを通過する基軸をＡＸ２とした場合、ループ状導体１Ａは、基軸ＡＸ２を中心とした対称なループ形状を有する。また、バラクタダイオード２Ａ，３Ａは、それぞれ、直線導体１２Ａ，１４Ａの略中点に装荷される結果、基軸ＡＸ２を中心にして対称な位置に配置される。更に、給電部４Ａは、基軸ＡＸ２とループ状導体１Ａの直線導体１１Ａとの交差部に配置される。
【００４２】
給電部４Ａの端子４１Ａに＋１０Ｖの直流電圧ＤＣＶ１が供給され、端子４２Ａに−１０Ｖの直流電圧ＤＣＶ２が供給され、端子４１Ａ，４２Ａ間に交流電圧ＲＦＶが供給されると、バラクタダイオード２Ａは、ほぼ短絡し、バラクタダイオード３Ａは、ほぼ開放される。その結果、給電部４Ａとバラクタダイオード２Ａとの間の直線導体１１Ａ，１２Ａに交流電流が流れ、アンテナ装置１００Ａは、指向性ＤＩＲ３を有するビームＢＭ３を放射する。
【００４３】
また、給電部４Ａの端子４１Ａに−１０Ｖの直流電圧ＤＣＶ１が供給され、端子４２Ａに＋１０Ｖの直流電圧ＤＣＶ２が供給され、端子４１Ａ，４２Ａ間に交流電圧ＲＦＶが供給されると、バラクタダイオード２Ａは、ほぼ開放され、バラクタダイオード３Ａは、ほぼ短絡される。その結果、給電部４Ａとバラクタダイオード３Ａとの間の直線導体１１Ａ，１４Ａに交流電流が流れ、アンテナ装置１００Ａは、指向性ＤＩＲ４を有するビームＢＭ４を放射する。
【００４４】
このように、アンテナ装置１００Ａにおいては、一方の極性を有する直流電圧、即ち、端子４１Ａ側を正とする直流電圧がループ状導体１Ａに印加されると、バラクタダイオード２Ａがほぼ短絡され、かつ、バラクタダイオード３Ａがほぼ開放され、他方の極性を有する直流電圧、即ち、端子４１Ａ側を負とする直流電圧がループ状導体１Ａに印加されると、バラクタダイオード２Ａがほぼ開放され、かつ、バラクタダイオード３Ａがほぼ短絡される。そして、交流電流がほぼ短絡されたバラクタダイオード２Ａまたは３Ａが設けられた直線導体１１Ａ，１２Ａまたは直線導体１１Ａ，１４Ａに流れ、直流電圧の極性を切換えることにより、交流電流が流れる部分（直線導体１１Ａ，１２Ａまたは１１Ａ，１４Ａ）が基軸ＡＸ２を中心にして対称な位置に切換えられる。その結果、ループ状導体１Ａは、基軸ＡＸ２を中心にした対称な形状を有するので、アンテナ装置１００Ａは、指向性が異なるビームＢＭ３またはビームＢＭ４を選択的に放射する。
【００４５】
従って、ループ状導体１Ａを備えるアンテナ装置１００Ａにおいて、アンテナ特性を可変制御できる。
【００４６】
また、直流電圧ＤＣＶ１，ＤＣＶ２と交流電圧ＲＦＶとを１つの同軸ケーブル２０を介して１つの給電部４Ａからループ状導体１Ａに印加できる。そして、バラクタダイオード２Ａ，３Ａは、ループ状導体１Ａに逆直列に接続されているため、２つのバラクタダイオード２Ａ，３Ａのうち、いずれか一方をほぼ短絡し、他方をほぼ開放することができるとともに、直流電圧の極性を切換えることによって、ほぼ短絡およびほぼ開放するバラクタダイオードを切換えることができる。
【００４７】
その他は、アンテナ装置１００と同じである。
【００４８】
図７は、実施の形態１によるアンテナ装置の更に他の概略図である。アンテナ装置１００Ｂは、図１に示すアンテナ装置１００のアンテナ素子部１０をアンテナ素子部１０Ｂに代えたものであり、その他は、アンテナ装置１００と同じである。
【００４９】
アンテナ素子部１０Ｂは、ループ状導体１Ｂと、バラクタダイオード２Ｂ，３Ｂと、給電部４Ｂとを含む。ループ状導体１Ｂは、４本の直線導体１１Ｂ〜１４Ｂを略菱形に配置した構造からなる。そして、直線導体１１Ｂ〜１４Ｂの各々は、λ／８の長さＬ１を有し、λ／１００の太さＷ１を有する。この場合、直線導体１１Ｂ〜１４Ｂの各々の断面形状は、直径がＷ１である略円形である。
【００５０】
バラクタダイオード２Ｂは、カソードが直線導体１３Ｂ側に配置されるように直線導体１２Ｂの略中点に装荷され、バラクタダイオード３Ｂは、カソードが直線導体１２Ｂ側に配置されるように直線導体１３Ｂの略中点に装荷される。その結果、バラクタダイオード２Ｂ，３Ｂは、端子４１Ｂと端子４２Ｂとの間に逆直列に接続され、ループ状導体１Ｂ中に逆直列に装荷される。給電部４Ｂは、端子４１Ｂ，４２Ｂからなり、菱形の１つの頂点に配置される。また、給電部４Ｂの端子４１Ｂは、同軸ケーブル２０の芯導体２１に接続され、端子４２Ｂは、同軸ケーブル２０の被覆導体２３に接続される。その結果、給電部４Ｂには、直流電圧ＤＣＶ１，ＤＣＶ２および交流電圧ＲＦＶが供給される。
【００５１】
ループ状導体１Ｂを含む平面において給電部４Ｂを通過する基軸をＡＸ３（＝菱形の対角線）とした場合、ループ状導体１Ｂは、基軸ＡＸ３を中心とした対称なループ形状を有する。また、バラクタダイオード２Ｂ，３Ｂは、それぞれ、直線導体１２Ｂ，１３Ｂの略中点に装荷される結果、基軸ＡＸ３を中心にして対称な位置に配置される。更に、給電部４Ｂは、基軸ＡＸ３とループ状導体１Ｂとの交差部に配置される。
【００５２】
給電部４Ｂの端子４１Ｂに＋１０Ｖの直流電圧ＤＣＶ１が供給され、端子４２Ｂに−１０Ｖの直流電圧ＤＣＶ２が供給され、端子４１Ｂ，４２Ｂ間に交流電圧ＲＦＶが供給されると、バラクタダイオード２Ｂは、ほぼ短絡され、バラクタダイオード３Ｂは、ほぼ開放される。その結果、直線導体１１Ｂに交流電流が流れ、アンテナ装置１００Ｂは、指向性ＤＩＲ５を有するビームＢＭ５を放射する。
【００５３】
また、給電部４Ｂの端子４１Ｂに−１０Ｖの直流電圧ＤＣＶ１が供給され、端子４２Ｂに＋１０Ｖの直流電圧ＤＣＶ２が供給され、端子４１Ｂ，４２Ｂ間に交流電圧ＲＦＶが供給されると、バラクタダイオード２Ｂは、ほぼ開放され、バラクタダイオード３Ｂは、ほぼ短絡される。その結果、直線導体１３Ｂに交流電流が流れ、アンテナ装置１００Ｂは、指向性ＤＩＲ６を有するビームＢＭ６を放射する。
【００５４】
このように、アンテナ装置１００Ｂにおいては、一方の極性を有する直流電圧、即ち、端子４１Ｂ側を正とする直流電圧がループ状導体１Ｂに印加されると、バラクタダイオード２Ｂがほぼ短絡され、かつ、バラクタダイオード３Ｂがほぼ開放され、他方の極性を有する直流電圧、即ち、端子４１Ｂ側を負とする直流電圧がループ状導体１Ｂに印加されると、バラクタダイオード２Ｂがほぼ開放され、かつ、バラクタダイオード３Ｂがほぼ短絡される。そして、交流電流がほぼ短絡されたバラクタダイオード２Ｂまたは３Ｂが設けられた側の直線導体１１Ｂまたは直線導体１４Ｂに流れ、直流電圧の極性を切換えることにより、交流電流が流れる部分（直線導体１１Ｂまたは１４Ｂ）が基軸ＡＸ３を中心にして対称な位置に切換えられる。その結果、ループ状導体１Ｂは、基軸ＡＸ３を中心にした対称な形状を有するので、アンテナ装置１００Ｂは、指向性が異なるビームＢＭ５またはビームＢＭ６を選択的に放射する。
【００５５】
従って、ループ状導体１Ｂを備えるアンテナ装置１００Ｂにおいて、アンテナ特性を可変制御できる。
【００５６】
また、直流電圧ＤＣＶ１，ＤＣＶ２と交流電圧ＲＦＶとを１つの同軸ケーブル２０を介して１つの給電部４Ｂからループ状導体１Ｂに印加できる。そして、バラクタダイオード２Ｂ，３Ｂは、ループ状導体１Ｂに逆直列に接続されているため、２つのバラクタダイオード２Ｂ，３Ｂのうち、いずれか一方をほぼ短絡し、他方をほぼ開放することができるとともに、直流電圧の極性を切換えることによって、ほぼ短絡およびほぼ開放するバラクタダイオードを切換えることができる。
【００５７】
その他は、アンテナ装置１００と同じである。
【００５８】
図８は、実施の形態１によるアンテナ装置の更に他の概略図である。アンテナ装置１００Ｃは、図１に示すアンテナ装置１００のアンテナ素子部１０をアンテナ素子部１０Ｃに代えたものであり、その他は、アンテナ装置１００と同じである。
【００５９】
アンテナ素子部１０Ｃは、ループ状導体１Ｃと、バラクタダイオード２Ｃ，３Ｃと、給電部４Ｃとを含む。ループ状導体１Ｃは、円弧導体１１Ｃ〜１３Ｃを略円形に配置した構造からなる。そして、円弧導体１１Ｃ〜１３Ｃの各々は、λ／１００の太さＷ１を有し、円弧導体１１Ｃ，１３Ｃの各々は、λ／８の長さを有し、円弧導体１２Ｃは、λ／４の長さを有する。その結果、ループ状導体１Ｃは、λ／２の長さを有する。この場合、円弧導体１１Ｃ〜１３Ｃの各々の断面形状は、直径がＷ１である略円形である。
【００６０】
バラクタダイオード２Ｃは、カソードが円弧導体１２Ｃ側に配置されるように円弧導体１１Ｃと円弧導体１２Ｃとの間に接続され、バラクタダイオード３Ｃは、カソードが円弧導体１２Ｃ側に配置されるように円弧導体１２Ｃと円弧導体１３Ｃとの間に接続される。その結果、バラクタダイオード２Ｃ，３Ｃは、端子４１Ｃと端子４２Ｃとの間に逆直列に接続され、ループ状導体１Ｃ中に逆直列に装荷される。また、給電部４Ｃは、端子４１Ｃ，４２Ｃからなり、円弧導体１１Ｃと円弧導体１３Ｃとの間に配置される。また、給電部４Ｃの端子４１Ｃは、同軸ケーブル２０の芯導体２１に接続され、端子４２Ｃは、同軸ケーブル２０の被覆導体２３に接続される。その結果、給電部４Ｃには、直流電圧ＤＣＶ１，ＤＣＶ２および交流電圧ＲＦＶが供給される。
【００６１】
ループ状導体１Ｃを含む平面において給電部４Ｃを通過する基軸をＡＸ４（＝円形の直径）とした場合、ループ状導体１Ｃは、基軸ＡＸ４を中心とした対称なループ形状を有する。また、バラクタダイオード２Ｃ，３Ｃは、それぞれ、円弧導体１１Ｃと円弧導体１２Ｃとの間および円弧導体１２Ｃと円弧導体１３Ｃとの間に装荷される結果、基軸ＡＸ４を中心にして対称な位置に配置される。更に、給電部４Ｃは、基軸ＡＸ４とループ状導体１Ｃとの交差部に配置される。
【００６２】
給電部４Ｃの端子４１Ｃに＋１０Ｖの直流電圧ＤＣＶ１が供給され、端子４２Ｃに−１０Ｖの直流電圧ＤＣＶ２が供給され、端子４１Ｃ，４２Ｃ間に交流電圧ＲＦＶが供給されると、バラクタダイオード２Ｃは、ほぼ短絡され、バラクタダイオード３Ｃは、ほぼ開放される。その結果、円弧導体１１Ｃに交流電流が流れ、アンテナ装置１００Ｃは、指向性ＤＩＲ７を有するビームＢＭ７を放射する。
【００６３】
また、給電部４Ｃの端子４１Ｃに−１０Ｖの直流電圧ＤＣＶ１が供給され、端子４２Ｃに＋１０Ｖの直流電圧ＤＣＶ２が供給され、端子４１Ｃ，４２Ｃ間に交流電圧ＲＦＶが供給されると、バラクタダイオード２Ｃは、ほぼ開放され、バラクタダイオード３Ｃは、ほぼ短絡される。その結果、円弧導体１３Ｃに交流電流が流れ、アンテナ装置１００Ｃは、指向性ＤＩＲ８を有するビームＢＭ８を放射する。
【００６４】
このように、アンテナ装置１００Ｃにおいては、一方の極性を有する直流電圧、即ち、端子４１Ｃ側を正とする直流電圧がループ状導体１Ｃに印加されると、バラクタダイオード２Ｃがほぼ短絡され、かつ、バラクタダイオード３Ｃがほぼ開放され、他方の極性を有する直流電圧、即ち、端子４１Ｃ側を負とする直流電圧がループ状導体１Ｃに印加されると、バラクタダイオード２Ｃがほぼ開放され、かつ、バラクタダイオード３Ｃがほぼ短絡される。そして、交流電流がほぼ短絡されたバラクタダイオード２Ｃまたは３Ｃが設けられた直線導体１１Ｃまたは直線導体１３Ｃに流れ、直流電圧の極性を切換えることにより、交流電流が流れる部分（直線導体１１Ｃまたは１３Ｃ）が基軸ＡＸ４を中心にして対称な位置に切換えられる。その結果、ループ状導体１Ｃは、基軸ＡＸ４を中心にした対称な形状を有するので、アンテナ装置１００Ｃは、指向性が異なるビームＢＭ７またはビームＢＭ８を選択的に放射する。
【００６５】
従って、ループ状導体１Ｃを備えるアンテナ装置１００Ｃにおいて、アンテナ特性を可変制御できる。
【００６６】
また、直流電圧ＤＣＶ１，ＤＣＶ２と交流電圧ＲＦＶとを１つの同軸ケーブル２０を介して１つの給電部４Ｃからループ状導体１Ｃに印加できる。そして、バラクタダイオード２Ｃ，３Ｃは、ループ状導体１Ｃに逆直列に接続されているため、２つのバラクタダイオード２Ｃ，３Ｃのうち、いずれか一方をほぼ短絡し、他方をほぼ開放することができるとともに、直流電圧の極性を切換えることによって、ほぼ短絡およびほぼ開放するバラクタダイオードを切換えることができる。
【００６７】
その他は、アンテナ装置１００と同じである。
【００６８】
図９は、実施の形態１によるアンテナ装置の更に他の概略図である。アンテナ装置１００Ｄは、図１に示すアンテナ装置１００のアンテナ素子部１０をアンテナ素子部１０Ｄに代えたものであり、その他は、アンテナ装置１００と同じである。
【００６９】
アンテナ素子部１０Ｄは、ループ状導体１Ｄと、バラクタダイオード２Ｄ，３Ｄと、給電部４Ｄとを含む。ループ状導体１Ｄは、４本の直線導体１１Ｄ〜１４Ｄを略正方形に配置した構造からなる。そして、直線導体１１Ｄ〜１４Ｄの各々は、λ／８の長さＬ１を有し、λ／１００の太さＷ１を有する。この場合、直線導体１１Ｄ〜１４Ｄの各々の断面形状は、直径がＷ１である略円形である。
【００７０】
２つのバラクタダイオード２Ｄ，３Ｄは、直線導体１３Ｄ中に逆直列に装荷される。この場合、バラクタダイオード２Ｄの装荷位置と直線導体１３Ｄの一方端との距離は、バラクタダイオード３Ｄの装荷位置と直線導体１３Ｄの他方端との距離に略等しい。給電部４Ｄは、端子４１Ｄ，４２Ｄからなり、直線導体１１Ｄの略中点に配置される。そして、端子４１Ｄは、同軸ケーブル２０の芯導体２１に接続され、端子４２Ｄは、同軸ケーブル２０の被覆導体２３に接続される。その結果、給電部４Ｄには、直流電圧ＤＣＶ１，ＤＣＶ２および交流電圧ＲＦＶが供給される。
【００７１】
ループ状導体１Ｄを含む平面において給電部４Ｄを通過する基軸をＡＸ５とした場合、ループ状導体１Ｄは、基軸ＡＸ５を中心とした対称なループ形状を有する。また、バラクタダイオード２Ｄ，３Ｄは、それぞれ、直線導体１３Ｄの一方端および他方端から略等しい位置に装荷される結果、基軸ＡＸ５を中心にして対称な位置に配置される。更に、給電部４Ｄは、基軸ＡＸ５とループ状導体１Ｄとの交差部に配置される。
【００７２】
給電部４Ｄの端子４１Ｄに＋１０Ｖの直流電圧ＤＣＶ１が供給され、端子４２Ｄに−１０Ｖの直流電圧ＤＣＶ２が供給され、端子４１Ｄ，４２Ｄ間に交流電圧ＲＦＶが供給されると、バラクタダイオード２Ｄは、ほぼ短絡され、バラクタダイオード３Ｄは、ほぼ開放される。その結果、直線導体１２Ｄに交流電流が流れ、アンテナ装置１００Ｄは、指向性ＤＩＲ９を有するビームＢＭ９を放射する。
【００７３】
また、給電部４Ｄの端子４１Ｄに−１０Ｖの直流電圧ＤＣＶ１が供給され、端子４２Ｄに＋１０Ｖの直流電圧ＤＣＶ２が供給され、端子４１Ｄ，４２Ｄ間に交流電圧ＲＦＶが供給されると、バラクタダイオード２Ｄは、ほぼ開放され、バラクタダイオード３Ｄは、ほぼ短絡される。その結果、直線導体１４Ｄに交流電流が流れ、アンテナ装置１００Ｄは、指向性ＤＩＲ１０を有するビームＢＭ１０を放射する。
【００７４】
このように、アンテナ装置１００Ｄにおいては、一方の極性を有する直流電圧、即ち、端子４１Ｄ側を正とする直流電圧がループ状導体１Ｄに印加されると、バラクタダイオード２Ｄがほぼ短絡され、かつ、バラクタダイオード３Ｄがほぼ開放され、他方の極性を有する直流電圧、即ち、端子４１Ｄ側を負とする直流電圧がループ状導体１Ｄに印加されると、バラクタダイオード２Ｄがほぼ開放され、かつ、バラクタダイオード３Ｄがほぼ短絡される。そして、交流電流がほぼ短絡されたバラクタダイオード２Ｄまたは３Ｄが設けられた側の直線導体１２Ｄまたは直線導体１４Ｄに流れ、直流電圧の極性を切換えることにより、交流電流が流れる部分（直線導体１２Ｄまたは１４Ｄ）が基軸ＡＸ５を中心にして対称な位置に切換えられる。その結果、ループ状導体１Ｄは、基軸ＡＸ５を中心にした対称な形状を有するので、アンテナ装置１００Ｄは、指向性が異なるビームＢＭ９またはビームＢＭ１０を選択的に放射する。
【００７５】
従って、ループ状導体１Ｄを備えるアンテナ装置１００Ｄにおいて、アンテナ特性を可変制御できる。
【００７６】
また、直流電圧ＤＣＶ１，ＤＣＶ２と交流電圧ＲＦＶとを１つの同軸ケーブル２０を介して１つの給電部４Ｄからループ状導体１Ｄに印加できる。そして、バラクタダイオード２Ｄ，３Ｄは、ループ状導体１Ｄに逆直列に接続されているため、２つのバラクタダイオード２Ｄ，３Ｄのうち、いずれか一方をほぼ短絡し、他方をほぼ開放することができるとともに、直流電圧の極性を切換えることによって、ほぼ短絡およびほぼ開放するバラクタダイオードを切換えることができる。
【００７７】
その他は、アンテナ装置１００と同じである。
【００７８】
図１０は、実施の形態１によるアンテナ装置の更に他の概略図である。アンテナ装置１００Ｅは、図１に示すアンテナ装置１００のアンテナ素子部１０をアンテナ素子部１０Ｅに代えたものであり、その他は、アンテナ装置１００と同じである。
【００７９】
アンテナ素子部１０Ｅは、ループ状導体１Ｅと、バラクタダイオード２Ｅ，３Ｅと、給電部４Ｅとを含む。ループ状導体１Ｅは、４本の直線導体１１Ｅ〜１４Ｅを略菱形に配置した構造からなる。そして、直線導体１１Ｅ〜１４Ｅの各々は、λ／８の長さＬ１を有し、λ／１００の太さＷ１を有する。この場合、直線導体１１Ｅ〜１４Ｅの各々の断面形状は、直径がＷ１である略円形である。
【００８０】
バラクタダイオード２Ｅは、カソードが給電部４Ｅの端子４１Ｅ側に配置されるように直線導体１１Ｅの略中点に装荷され、バラクタダイオード３Ｅは、カソードが給電部４Ｅの端子４２Ｅ側に配置されるように直線導体１４Ｅの略中点に装荷される。その結果、バラクタダイオード２Ｅ，３Ｅは、端子４１Ｅと端子４２Ｅとの間に逆直列に接続され、ループ状導体１Ｅ中に逆直列に装荷される。給電部４Ｅは、端子４１Ｅ，４２Ｅからなり、菱形の１つの頂点に配置される。また、給電部４Ｅの端子４１Ｅは、同軸ケーブル２０の芯導体２１に接続され、端子４２Ｅは、同軸ケーブル２０の被覆導体２３に接続される。その結果、給電部４Ｅには、直流電圧ＤＣＶ１，ＤＣＶ２および交流電圧ＲＦＶが供給される。
【００８１】
ループ状導体１Ｅを含む平面において給電部４Ｅを通過する基軸をＡＸ６（＝菱形の対角線）とした場合、ループ状導体１Ｅは、基軸ＡＸ６を中心とした対称なループ形状を有する。また、バラクタダイオード２Ｅ，３Ｅは、それぞれ、直線導体１１Ｅ，１４Ｅの略中点に装荷される結果、基軸ＡＸ６を中心にして対称な位置に配置される。更に、給電部４Ｅは、基軸ＡＸ６とループ状導体１Ｅとの交差部に配置される。
【００８２】
給電部４Ｅの端子４１Ｅに＋１０Ｖの直流電圧ＤＣＶ１が供給され、端子４２Ｅに−１０Ｖの直流電圧ＤＣＶ２が供給され、端子４１Ｅ，４２Ｅ間に交流電圧ＲＦＶが供給されると、バラクタダイオード２Ｅは、ほぼ開放され、バラクタダイオード３Ｅは、ほぼ短絡される。その結果、直線導体１３Ｅに交流電流が流れ、アンテナ装置１００Ｅは、指向性ＤＩＲ１１を有するビームＢＭ１１を放射する。
【００８３】
また、給電部４Ｅの端子４１Ｅに−１０Ｖの直流電圧ＤＣＶ１が供給され、端子４２Ｅに＋１０Ｖの直流電圧ＤＣＶ２が供給され、端子４１Ｅ，４２Ｅ間に交流電圧ＲＦＶが供給されると、バラクタダイオード２Ｅは、ほぼ短絡され、バラクタダイオード３Ｅは、ほぼ開放される。その結果、直線導体１２Ｅに交流電流が流れ、アンテナ装置１００Ｅは、指向性ＤＩＲ１２を有するビームＢＭ１２を放射する。
【００８４】
このように、アンテナ装置１００Ｅにおいては、一方の極性を有する直流電圧、即ち、端子４１Ｅ側を正とする直流電圧がループ状導体１Ｅに印加されると、バラクタダイオード２Ｅがほぼ開放され、かつ、バラクタダイオード３がほぼ短絡され、他方の極性を有する直流電圧、即ち、端子４１Ｅ側を負とする直流電圧がループ状導体１Ｅに印加されると、バラクタダイオード２Ｅがほぼ短絡され、かつ、バラクタダイオード３がほぼ開放される。そして、交流電流がほぼ短絡されたバラクタダイオード２Ｅまたは３Ｅが設けられた側の直線導体１２Ｅまたは直線導体１３Ｅに流れ、直流電圧の極性を切換えることにより、交流電流が流れる部分（直線導体１２Ｅまたは１３Ｅ）が基軸ＡＸ６を中心にして対称な位置に切換えられる。その結果、ループ状導体１Ｅは、基軸ＡＸ６を中心にした対称な形状を有するので、アンテナ装置１００Ｅは、指向性が異なるビームＢＭ１１またはビームＢＭ１２を選択的に放射する。
【００８５】
従って、ループ状導体１Ｅを備えるアンテナ装置１００Ｅにおいて、アンテナ特性を可変制御できる。
【００８６】
また、直流電圧ＤＣＶ１，ＤＣＶ２と交流電圧ＲＦＶとを１つの同軸ケーブル２０を介して１つの給電部４Ｅからループ状導体１Ｅに印加できる。そして、バラクタダイオード２Ｅ，３Ｅは、ループ状導体１Ｅに逆直列に接続されているため、２つのバラクタダイオード２Ｅ，３Ｅのうち、いずれか一方をほぼ短絡し、他方をほぼ開放することができるとともに、直流電圧の極性を切換えることによって、ほぼ短絡およびほぼ開放するバラクタダイオードを切換えることができる。
【００８７】
その他は、アンテナ装置１００と同じである。
【００８８】
アンテナ装置１００Ｅは、図７に示すアンテナ装置１００Ｂと同じように略菱形のループ状導体１Ｅを備えているが、アンテナ装置１００Ｂとはバラクタダイオード２Ｅ，３Ｅが装荷される位置が異なるため、アンテナ装置１００Ｂの指向性ＤＩＲ５，ＤＩＲ６と異なる指向性ＤＩＲ１１，ＤＩＲ１２を有するビームＢＭ１１，ＢＭ１２を放射する。
【００８９】
このように、ループ状導体の形状が同じであっても、バラクタダイオードを装荷する位置によって、放射する電波の指向性を変えることができる。
【００９０】
図１１は、実施の形態１によるアンテナ装置の更に他の概略図である。アンテナ装置１００Ｆは、図１に示すアンテナ装置１００のアンテナ素子部１０をアンテナ素子部１０Ｆに代えたものであり、その他は、アンテナ装置１００と同じである。
【００９１】
アンテナ素子部１０Ｆは、ループ状導体１Ｆと、バラクタダイオード２Ｆ，３Ｆと、給電部４Ｆとを含む。ループ状導体１Ｆは、円弧導体１１Ｆ〜１３Ｆを略円形に配置した構造からなる。そして、円弧導体１１Ｆ〜１３Ｆの各々は、λ／１００の太さＷ１を有し、円弧導体１１Ｆ，１３Ｆは、３λ／１６の長さを有し、円弧導体１２Ｆは、λ／８の長さを有する。その結果、ループ状導体１Ｆは、λ／２の長さを有する。この場合、円弧導体１１Ｆ〜１３Ｆの各々の断面形状は、直径がＷ１である略円形である。
【００９２】
バラクタダイオード２Ｆは、カソードが円弧導体１２Ｆ側に配置されるように円弧導体１１Ｆと円弧導体１２Ｆとの間に接続され、バラクタダイオード３Ｆは、カソードが円弧導体１２Ｆ側に配置されるように円弧導体１２Ｆと円弧導体１３Ｆとの間に接続される。その結果、バラクタダイオード２Ｆ，３Ｆは、端子４１Ｆと端子４２Ｆとの間に逆直列に接続され、ループ状導体１Ｆ中に逆直列に装荷される。給電部４Ｆは、端子４１Ｆ，４２Ｆからなり、円弧導体１１Ｆと円弧導体１３Ｆとの間に配置される。また、給電部４Ｆの端子４１Ｆは、同軸ケーブル２０の芯導体２１に接続され、端子４２Ｆは、同軸ケーブル２０の被覆導体２３に接続される。その結果、給電部４Ｆには、直流電圧ＤＣＶ１，ＤＣＶ２および交流電圧ＲＦＶが供給される。
【００９３】
ループ状導体１Ｆを含む平面において給電部４Ｆを通過する基軸をＡＸ７（＝円形の直径）とした場合、ループ状導体１Ｆは、基軸ＡＸ７を中心とした対称なループ形状を有する。また、バラクタダイオード２Ｆ，３Ｆは、それぞれ、円弧導体１１Ｆと円弧導体１２Ｆとの間および円弧導体１２Ｆと円弧導体１３Ｆとの間に装荷される結果、基軸ＡＸ７を中心にして対称な位置に配置される。更に、給電部４Ｆは、基軸ＡＸ７とループ状導体１Ｆとの交差部に配置される。
【００９４】
給電部４Ｆの端子４１Ｆに＋１０Ｖの直流電圧ＤＣＶ１が供給され、端子４２Ｆに−１０Ｖの直流電圧ＤＣＶ２が供給され、端子４１Ｆ，４２Ｆ間に交流電圧ＲＦＶが供給されると、バラクタダイオード２Ｆは、ほぼ短絡され、バラクタダイオード３Ｆは、ほぼ開放される。その結果、円弧導体１１Ｆに交流電流が流れ、アンテナ装置１００Ｆは、指向性ＤＩＲ１３を有するビームＢＭ１３を放射する。
【００９５】
また、給電部４Ｆの端子４１Ｆに−１０Ｖの直流電圧ＤＣＶ１が供給され、端子４２Ｆに＋１０Ｖの直流電圧ＤＣＶ２が供給され、端子４１Ｆ，４２Ｆ間に交流電圧ＲＦＶが供給されると、バラクタダイオード２Ｆは、ほぼ開放され、バラクタダイオード３Ｆは、ほぼ短絡される。その結果、円弧導体１３Ｆに交流電流が流れ、アンテナ装置１００Ｆは、指向性ＤＩＲ１４を有するビームＢＭ１４を放射する。
【００９６】
このように、アンテナ装置１００Ｆにおいては、一方の極性を有する直流電圧、即ち、端子４１Ｆ側を正とする直流電圧がループ状導体１Ｆに印加されると、バラクタダイオード２Ｆがほぼ短絡され、かつ、バラクタダイオード３Ｆがほぼ開放され、他方の極性を有する直流電圧、即ち、端子４１Ｆ側を負とする直流電圧がループ状導体１Ｆに印加されると、バラクタダイオード２Ｆがほぼ開放され、かつ、バラクタダイオード３Ｆがほぼ短絡される。そして、交流電流がほぼ短絡されたバラクタダイオード２Ｆまたは３Ｆが設けられた円弧導体１１Ｆまたは円弧導体１３Ｆに流れ、直流電圧の極性を切換えることにより、交流電流が流れる部分（円弧導体１１Ｆまたは１３Ｆ）が基軸ＡＸ７を中心にして対称な位置に切換えられる。その結果、ループ状導体１Ｆは、基軸ＡＸ７を中心にした対称な形状を有するので、アンテナ装置１００Ｆは、指向性が異なるビームＢＭ１３またはビームＢＭ１４を選択的に放射する。
【００９７】
従って、ループ状導体１Ｆを備えるアンテナ装置１００Ｆにおいて、アンテナ特性を可変制御できる。
【００９８】
また、直流電圧ＤＣＶ１，ＤＣＶ２と交流電圧ＲＦＶとを１つの同軸ケーブル２０を介して１つの給電部４Ｆからループ状導体１Ｆに印加できる。そして、バラクタダイオード２Ｆ，３Ｆは、ループ状導体１Ｆに逆直列に接続されているため、２つのバラクタダイオード２Ｆ，３Ｆのうち、いずれか一方をほぼ短絡し、他方をほぼ開放することができるとともに、直流電圧の極性を切換えることによって、ほぼ短絡およびほぼ開放するバラクタダイオードを切換えることができる。
【００９９】
その他は、アンテナ装置１００と同じである。
【０１００】
［実施の形態２］
図１２は、実施の形態２によるアンテナ装置の概略図である。実施の形態２によるアンテナ装置２００は、図１に示すアンテナ装置１００のアンテナ素子部１０をアンテナ素子部２１０に変えたものであり、その他は、アンテナ装置１００と同じである。
【０１０１】
アンテナ素子部２１０は、図１に示すアンテナ素子部１０のループ状導体１をループ状導体２０１に代えたものであり、その他は、アンテナ素子部１０と同じである。ループ状導体２０１は、図１に示すループ状導体１の直線導体１２，１３をそれぞれ直線導体２１１，２１２に代えたものであり、その他は、ループ状導体１と同じである。
【０１０２】
直線導体２１１，２１２は、λ／８の長さＬ１を有し、λ／２０の太さＷ２を有する。この場合、直線導体２１１，２１２の断面形状は、直径がＷ２に等しい略円形である。そして、バラクタダイオード２は、カソードが直線導体２１２側に配置されるように直線導体２１１の略中点に装荷され、バラクタダイオード３は、カソードが直線導体２１１側に配置されるように直線導体２１２の略中点に装荷される。つまり、２つのバラクタダイオード２，３は、ループ状導体２０１中に逆直列に装荷される。
【０１０３】
アンテナ装置２００は、アンテナ装置１００の指向性ＤＩＲ１，ＤＩＲ２と等しい指向性を有するビームを放射する。そして、ループ状導体２０１の一部分を細くすることによってアンテナ装置２００のインピーダンス整合および利得を変えることができる。
【０１０４】
図１３は、実施の形態２によるアンテナ装置の他の概略図である。アンテナ装置２００Ａは、図１に示すアンテナ装置１００のアンテナ素子部１０をアンテナ素子部２１０Ａに代えたものであり、その他は、アンテナ装置１００と同じである。
【０１０５】
アンテナ素子部２１０Ａは、図１に示すアンテナ素子部１０に線状導体２１３，２１４を追加したものであり、その他は、アンテナ素子部１０と同じである。線状導体２１３は、ループ状導体１のうち、バラクタダイオード２と給電部４との間の直線導体の外側に配置される。線状導体２１４は、ループ状導体１のうち、バラクタダイオード３と給電部４との間の直線導体の外側に配置される。
【０１０６】
線状導体２１３，２１４は、略Ｌ字形状からなり、約３λ／１６の長さＬ２およびλ／２０の太さＷ３を有する。また、線状導体２１３，２１４とループ状導体１との間隔は、λ／１０である。
【０１０７】
アンテナ装置２００Ａは、アンテナ装置１００の指向性ＤＩＲ１，ＤＩＲ２と等しい指向性を有するビームを放射する。そして、線状導体２１３，２１４を設けることによって、アンテナ装置２００と同じようにアンテナ装置２００Ａのインピーダンス整合および利得を変えることができる。
【０１０８】
なお、実施の形態１によるアンテナ装置１００Ａ，１００Ｂ，１００Ｃ，１００Ｄ，１００Ｅ，１００Ｆにおいて、アンテナ装置２００のようにループ状導体１Ａ，１Ｂ，１Ｃ，１Ｄ，１Ｅ，１Ｆの一部の幅を狭くしてもよいし、アンテナ装置２００Ａのようにループ状導体１Ａ，１Ｂ，１Ｃ，１Ｄ，１Ｅ，１Ｆの外側に線状導体２１３，２１４を追加してもよい。アンテナ装置１００Ｃ，１００Ｆに線状導体２１３，２１４を追加する場合、線状導体２１３，２１４は、略Ｌ字形状ではなく、略円弧形状からなる。これにより、実施の形態１によるアンテナ装置１００，１００Ａ，１００Ｂ，１００Ｃ，１００Ｄ，１００Ｅ，１００Ｆのインピーダンス整合および利得をアンテナ装置２００と同じように変えることができる。
【０１０９】
このように、実施の形態２によるアンテナ装置は、ループ状導体１，１Ａ，１Ｂ，１Ｃ，１Ｄ，１Ｅ，１Ｆに装荷されたバラクタダイオード２，３；２Ａ，３Ａ；２Ｂ，３Ｂ；２Ｃ，３Ｃ；２Ｄ，３Ｄ；２Ｅ，３Ｅ；２Ｆ，３Ｆの容量を制御して指向性を制御するアンテナ装置装置１００，１００Ａ，１００Ｂ，１００Ｃ，１００Ｄ，１００Ｅ，１００Ｆに対して、インピーダンス整合および利得を変えることを特徴とする。
【０１１０】
［実施の形態３］
図１４は、実施の形態３によるアンテナ装置の概略図である。実施の形態３によるアンテナ装置３００は、図１に示すアンテナ装置１００のアンテナ素子部１０をアンテナ素子部３１０に代えたものであり、その他は、アンテナ装置１００と同じである。
【０１１１】
アンテナ素子部３１０は、バラクタダイオード２，３と、給電部４と、ループ状導体３０１と、誘電体３１５とを含む。ループ状導体３０１は、４本の直線導体３１１〜３１４を略正方形に配置した構造からなる。そして、直線導体３１１〜３１４の各々は、誘電体３１５の比誘電率をεとしたとき、λ／｛８（ε）１／２｝の長さＬ３を有し、λ／１００の太さＷ１を有する。この場合、直線導体３１１〜３１４の各々の断面形状は、直径がＷ１である略円形である。
【０１１２】
バラクタダイオード２は、カソードが直線導体３１３側に配置されるように直線導体３１２の略中点に装荷され、バラクタダイオード３は、カソードが直線導体３１２側に配置されるように直線導体３１３の略中点に装荷される。このように、２つのバラクタダイオード２，３は、ループ状導体３０１中に逆直列に装荷される。また、給電部４は、直線導体３１１と直線導体３１４との交点である正方形の１つの頂点に配置され、直流電圧ＤＣＶ１，ＤＣＶ２および交流電圧ＲＦＶが供給される。
【０１１３】
ループ状導体３０１を含む平面において給電部４を通過する基軸をＡＸ８とした場合、ループ状導体３０１は、基軸ＡＸ８を中心とした対称なループ形状を有する。また、バラクタダイオード２，３は、それぞれ、直線導体３１２，３１３の略中点に装荷される結果、基軸ＡＸ８を中心にして対称な位置に配置される。更に、給電部４は、基軸ＡＸ８とループ状導体３０１との交差部に配置される。
【０１１４】
誘電体３１５は、ループ状導体３０１の内側に配設される。そして、誘電体３１５は、例えば、プリント基板からなる。
【０１１５】
その他は、アンテナ装置１００と同じである。
【０１１６】
アンテナ装置３００は、アンテナ装置１００と同じ指向性ＤＩＲ１，ＤＩＲ２を有するビームを放射するとともに、アンテナ装置１００よりも高い利得を有する。
【０１１７】
このように、アンテナ装置３００は、ループ状導体３０１の内側に誘電体３１５を配設することによって、小型化できるとともに高利得化できる。
【０１１８】
図１５は、実施の形態３によるアンテナ装置の他の概略図である。アンテナ装置３００Ａは、図１に示すアンテナ装置１００のアンテナ素子部１０をアンテナ素子部３１０Ａに代えたものであり、その他は、アンテナ装置１００と同じである。
【０１１９】
アンテナ素子部３１０Ａは、バラクタダイオード２，３と、給電部４と、ループ状導体３０１Ａと、誘電体３１５Ａとを含む。ループ状導体３０１Ａは、４本の直線導体３１１Ａ〜３１４Ａを略正方形に配置した構造からなる。そして、直線導体３１１Ａ〜３１４Ａの各々は、誘電体３１５Ａの比誘電率をεとしたとき、λ／｛８（ε）１／２｝の長さＬ４を有し、λ／１００の太さＷ１を有する。この場合、直線導体３１１Ａ〜３１４Ａの各々の断面形状は、直径がＷ１である略円形である。
【０１２０】
バラクタダイオード２は、カソードが直線導体３１３Ａ側に配置されるように直線導体３１２Ａの略中点に装荷され、バラクタダイオード３Ａは、カソードが直線導体３１２Ａ側に配置されるように直線導体３１３Ａの略中点に装荷される。このように、２つのバラクタダイオード２，３は、ループ状導体３０１Ａ中に逆直列に装荷される。また、給電部４は、直線導体３１１Ａと直線導体３１４Ａとの交点である正方形の１つの頂点に配置され、直流電圧ＤＣＶ１，ＤＣＶ２および交流電圧ＲＦＶが供給される。
【０１２１】
ループ状導体３０１Ａを含む平面において給電部４を通過する基軸をＡＸ９とした場合、ループ状導体３０１Ａは、基軸ＡＸ９を中心とした対称なループ形状を有する。また、バラクタダイオード２，３は、それぞれ、直線導体３１２Ａ，３１３Ａの略中点に装荷される結果、基軸ＡＸ９を中心にして対称な位置に配置される。更に、給電部４は、基軸ＡＸ９とループ状導体３０１Ａとの交差部に配置される。
【０１２２】
誘電体３１５Ａは、バラクタダイオード２，３、給電部４およびループ状導体３０１Ａを覆う。そして、誘電体３１５Ａの比誘電率を”４”に設定すると、アンテナ装置３００Ａは、アンテナ装置１００に対して、ループ状導体３０１Ａのループ長を約２分の１（λ／４）に短くでき、ループ状導体３０１Ａによって囲まれる領域の面積を約４分の１に小さくできる。
【０１２３】
その他は、アンテナ装置１００と同じである。
【０１２４】
アンテナ装置３００Ａは、アンテナ装置１００と同じ指向性ＤＩＲ１，ＤＩＲ２を有するビームを放射するとともに、アンテナ装置１００よりも小さいサイズを有する。
【０１２５】
なお、実施の形態１によるアンテナ装置１００Ａ，１００Ｂ，１００Ｃ，１００Ｄ，１００Ｅ，１００Ｆに対して誘電体３１５，３１５Ａを配設するようにしてもよい。
【０１２６】
このように、実施の形態３によるアンテナ装置は、誘電体をループ状導体の内側に設けること、またはループ状導体、バラクタダイオードおよび給電部を誘電体で覆うことを特徴とする。この特徴によってアンテナ素子部のサイズを小さくできる。
【０１２７】
［実施の形態４］
図１６は、実施の形態４によるアンテナ装置の概略図である。実施の形態４によるアンテナ装置４００は、図１に示すアンテナ装置１００のアンテナ素子部１０をアンテナ素子部４１０に代えたものであり、その他は、アンテナ装置１００と同じである。
【０１２８】
アンテナ素子部４１０は、バラクタダイオード２，３と、給電部４と、ループ状導体４０１，４０２とを含む。ループ状導体４０１は、略正方形に配置された直線導体４１１〜４１６からなる。また、ループ状導体４０２は、略正方形に配置された直線導体４１１，４１６〜４１８からなる。給電部４は、直線導体４１１と直線導体４１６との交点である正方形の１つの頂点に配置される。その結果、ループ状導体４０１，４０２は、給電部４および直線導体４１１，４１６を共有する。そして、ループ状導体４０２は、ループ状導体４０１と相似であり、ループ状導体４０１の内周側に配置される。
【０１２９】
直線導体４１１，４１６〜４１８の各々は、λ／１２の長さＬ５およびλ／１００の太さＷ１を有する。直線導体４１３，４１４の各々は、λ／８の長さＬ１およびλ／１００の太さＷ１を有する。直線導体４１２，４１５の各々は、Ｌ１−Ｌ５の長さおよびλ／１００の太さＷ１を有する。
【０１３０】
バラクタダイオード２は、カソードが直線導体４１３側に配置されるように直線導体４１１に装荷され、バラクタダイオード３は、カソードが直線導体４１４側に配置されるように直線導体４１６に装荷される。即ち、バラクタダイオード２，３は、２つのループ状導体４０１，４０２の共有部に逆直列に装荷される。
【０１３１】
ループ状導体４０１，４０２を含む平面において給電部４を通過する基軸をＡＸ１０とした場合、ループ状導体４０１，４０２は、基軸ＡＸ１０を中心とした対称なループ形状を有する。また、バラクタダイオード２，３は、それぞれ、直線導体４１１，４１６に装荷される結果、基軸ＡＸ１０を中心にして対称な位置に配置される。更に、給電部４は、基軸ＡＸ１０とループ状導体４０１，４０２との交差部に配置される。
【０１３２】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード２は、ほぼ短絡され、バラクタダイオード３は、ほぼ開放される。その結果、直線導体４１３，４１７に交流電流が流れ、アンテナ装置４００は、指向性ＤＩＲ１５を有するビームを放射する。
【０１３３】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード２は、ほぼ開放され、バラクタダイオード３は、ほぼ短絡される。その結果、直線導体４１４，４１８に交流電流が流れ、アンテナ装置４００は、指向性ＤＩＲ１６を有するビームを放射する。
【０１３４】
直線導体４１３，４１７に交流電流が流れる場合、直線導体４１３，４１７は、相互に長さが異なるため、直線導体４１３に流れる交流電流は、直線導体４１７に流れる交流電流と周波数が異なる。即ち、直線導体４１３には、周波数ｆ１の交流電流が流れ、直線導体４１７には、周波数ｆ２（＞ｆ１）の交流電流が流れる。その結果、アンテナ装置４００は、周波数ｆ１〜周波数ｆ２の範囲のビームを放射できる。
【０１３５】
直線導体４１４，４１８に交流電流が流れる場合も、同様である。
【０１３６】
従って、アンテナ装置４００は、アンテナ装置１００に対して広帯域化できる。
【０１３７】
図１７は、実施の形態４によるアンテナ装置の他の概略図である。アンテナ装置４００Ａは、図１に示すアンテナ装置１００のアンテナ素子部１０をアンテナ素子部４１０Ａに代えたものであり、その他は、アンテナ装置１００と同じである。
【０１３８】
アンテナ素子部４１０Ａは、バラクタダイオード２，３と、給電部４と、ループ状導体４０１Ａ，４０２Ａとを含む。ループ状導体４０１Ａは、略正方形に配置された直線導体４１１Ａ〜４１６Ａからなり、ループ状導体４０２Ａは、略正方形に配置された直線導体４１１Ａ，４１７Ａ〜４１９Ａからなる。
【０１３９】
給電部４は、直線導体４１１Ａの略中点に配置される。その結果、ループ状導体４０１Ａ，４０２Ａは、直線導体４１１Ａおよび給電部４を共有する。そして、ループ状導体４０２Ａは、ループ状導体４０１Ａと相似であり、ループ状導体４０１Ａの内周側に配置される。
【０１４０】
直線導体４１１Ａ，４１７Ａ〜４１９Ａの各々は、λ／１６の長さＬ６およびλ／１００の太さＷ１を有する。直線導体４１３Ａ〜４１５Ａの各々は、λ／８の長さＬ１およびλ／１００の太さＷ１を有する。直線導体４１２Ａ，４１６Ａの各々は、（Ｌ１−Ｌ６）／２の長さを有する。
【０１４１】
バラクタダイオード２は、アノードが端子４１側に配置されるように直線導体４１１Ａに装荷され、バラクタダイオード３は、アノードが端子４２側に配置されるように直線導体４１１Ａに装荷される。即ち、バラクタダイオード２，３は、２つのループ状導体４０１Ａ，４０２Ａの共有部に逆直列に装荷される。
【０１４２】
ループ状導体４０１Ａ，４０２Ａを含む平面において給電部４を通過する基軸をＡＸ１１とした場合、ループ状導体４０１Ａ，４０２Ａは、基軸ＡＸ１１を中心とした対称なループ形状を有する。また、バラクタダイオード２，３は、直線導体４１１Ａに装荷される結果、基軸ＡＸ１１を中心にして対称な位置に配置される。更に、給電部４は、基軸ＡＸ１１と直線導体４１１Ａとの交差部に配置される。
【０１４３】
−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード２は、ほぼ開放され、バラクタダイオード３は、ほぼ短絡される。その結果、直線導体４１５Ａ，４１９Ａに交流電流が流れ、アンテナ装置４００Ａは、指向性ＤＩＲ１６を有するビームを放射する。
【０１４４】
また、＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード２は、ほぼ短絡され、バラクタダイオード３は、ほぼ開放される。その結果、直線導体４１３Ａ，４１７Ａに交流電流が流れ、アンテナ装置４００Ａは、指向性ＤＩＲ１７を有するビームを放射する。
【０１４５】
直線導体４１３Ａ，４１７Ａに交流電流が流れる場合、直線導体４１３Ａ，４１７Ａは、相互に長さが異なるため、直線導体４１３Ａに流れる交流電流は、直線導体４１７Ａに流れる交流電流と周波数が異なる。即ち、直線導体４１３Ａには、周波数ｆ３の交流電流が流れ、直線導体４１７Ａには、周波数ｆ４（＞ｆ３）の交流電流が流れる。その結果、アンテナ装置４００Ａは、周波数ｆ３〜周波数ｆ４の範囲のビームを放射できる。
【０１４６】
直線導体４１５Ａ，４１９Ａに交流電流が流れる場合も、同様である。
【０１４７】
従って、アンテナ装置４００Ａは、アンテナ装置１００に対して広帯域化できる。
【０１４８】
図１８は、実施の形態４によるアンテナ装置の更に他の概略図である。実施の形態４によるアンテナ装置４００Ｂは、図１に示すアンテナ装置１００のアンテナ素子部１０をアンテナ素子部４１０Ｂに代えたものであり、その他は、アンテナ装置１００と同じである。
【０１４９】
アンテナ素子部４１０Ｂは、バラクタダイオード２，３と、給電部４と、ループ状導体４０１Ｂ，４０２Ｂと含む。ループ状導体４０１Ｂは、略正方形に配置された直線導体４１１Ｂ〜４１８Ｂからなる。ループ状導体４０２Ｂは、略正六角形に配置された直線導体４１１Ｂ，４１９Ｂ，４１４Ｂ，４１５Ｂ，４２０Ｂ，４１８Ｂからなる。給電部４は、直線導体４１１Ｂと直線導体４１８Ｂとの交差部である正方形の１つの頂点に配置される。
【０１５０】
その結果、ループ状導体４０１Ｂ，４０２Ｂは、直線導体４１１Ｂ，４１４Ｂ，４１５Ｂ，４１８Ｂおよび給電部４を共有する。そして、ループ状導体４０２Ｂは、その一部（直線導体４１９Ｂ，４２０Ｂの部分）がループ状導体４０１Ｂの内周側に配置される。
【０１５１】
直線導体４１１Ｂ〜４１８Ｂの各々は、Ｌ１／２の長さおよびλ／１００の太さＷ１を有する。直線導体４１９Ｂ，４２０Ｂの各々は、（２）−１／２×Ｌ１の長さおよびλ／１００の太さＷ１を有する。
【０１５２】
バラクタダイオード２は、カソードが直線導体４１２Ｂ側に配置されるように直線導体４１１Ｂに装荷され、バラクタダイオード３は、カソードが直線導体４１７Ｂ側に配置されるように直線導体４１８Ｂに装荷される。即ち、バラクタダイオード２，３は、２つのループ状導体４０１Ｂ，４０２Ｂの共有部に逆直列に装荷される。
【０１５３】
ループ状導体４０１Ｂ，４０２Ｂを含む平面において給電部４を通過する基軸をＡＸ１２とした場合、ループ状導体４０１Ｂ，４０２Ｂは、基軸ＡＸ１２を中心とした対称なループ形状を有する。また、バラクタダイオード２，３は、それぞれ、直線導体４１１Ｂ，４１８Ｂに装荷される結果、基軸ＡＸ１２を中心にして対称な位置に配置される。更に、給電部４は、基軸ＡＸ１２とループ状導体４０１Ｂ，４０２Ｂとの交差部に配置される。
【０１５４】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード２は、ほぼ短絡され、バラクタダイオード３は、ほぼ開放される。その結果、直線導体４１２Ｂ，４１３Ｂ，４１９Ｂに交流電流が流れ、アンテナ装置４００Ｂは、指向性ＤＩＲ１８を有するビームを放射する。
【０１５５】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード２は、ほぼ開放され、バラクタダイオード３は、ほぼ短絡される。その結果、直線導体４１６Ｂ，４１７Ｂ，４２０Ｂに交流電流が流れ、アンテナ装置４００Ｂは、指向性ＤＩＲ１９を有するビームを放射する。
【０１５６】
直線導体４１２Ｂ，４１３Ｂ，４１９Ｂに交流電流が流れる場合、２つの直線導体４１２Ｂ，４１３Ｂからなる直線導体と直線導体４１９Ｂとは、相互に長さが異なるため、２つの直線導体４１２Ｂ，４１３Ｂからなる直線導体に流れる交流電流は、直線導体４１９Ｂに流れる交流電流と周波数が異なる。即ち、２つの直線導体４１２Ｂ，４１３Ｂからなる直線導体には、周波数ｆ５の交流電流が流れ、直線導体４１９Ｂには、周波数ｆ６（＞ｆ５）の交流電流が流れる。その結果、アンテナ装置４００Ｂは、周波数ｆ５〜周波数ｆ６の範囲のビームを放射できる。
【０１５７】
直線導体４１６Ｂ，４１７Ｂ，４２０Ｂに交流電流が流れる場合も、同様である。
【０１５８】
従って、アンテナ装置４００Ｂは、アンテナ装置１００に対して広帯域化できる。
【０１５９】
図１９は、実施の形態４によるアンテナ装置の更に他の概略図である。アンテナ装置４００Ｃは、図１６に示すアンテナ装置４００のアンテナ素子部４１０をアンテナ素子部４１０Ｃに代えたものであり、その他は、アンテナ装置４００と同じである。
【０１６０】
アンテナ素子部４１０Ｃは、図１６に示すアンテナ素子部４１０のループ状導体４０２をループ状導体４０２Ｃに代えたものであり、その他は、アンテナ素子部４１０と同じである。
【０１６１】
ループ状導体４０２Ｃは、略直角二等辺三角形に配置された直線導体４１１，４１２，４１１Ｃ，４１５，１４６からなる。その結果、ループ状導体４０１，４０２Ｃは、直線導体４１１，４１２，４１５，４１６および給電部４を共有する。そして、ループ状導体４０２Ｃは、基軸ＡＸ１０を中心にして対称な形状を有する。
【０１６２】
直線導体４１１Ｃは、（２）１／２×Ｌ１の長さおよびλ／１００の太さＷ１を有する。そして、直線導体４１１Ｃは、ループ状導体４０１の正方形の１つの対角線としてループ状導体４０１の内部に配置され、基軸ＡＸ１０と直交する。
【０１６３】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード２は、ほぼ短絡され、バラクタダイオード３は、ほぼ開放される。その結果、直線導体４１３，４１１Ｃに交流電流が流れ、アンテナ装置４００Ｃは、指向性ＤＩＲ２０を有するビームを放射する。
【０１６４】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード２は、ほぼ開放され、バラクタダイオード３は、ほぼ短絡される。その結果、直線導体４１４，４１１Ｃに交流電流が流れ、アンテナ装置４００Ｃは、指向性ＤＩＲ２１を有するビームを放射する。
【０１６５】
直線導体４１３，４１１Ｃに交流電流が流れる場合、直線導体４１３と直線導体４１１Ｃとは、相互に長さが異なるため、直線導体４１３に流れる交流電流は、直線導体４１１Ｃに流れる交流電流と周波数が異なる。即ち、直線導体４１１Ｃには、周波数ｆ７の交流電流が流れ、直線導体４１３には、周波数ｆ８（＞ｆ７）の交流電流が流れる。その結果、アンテナ装置４００Ｃは、周波数ｆ７〜周波数ｆ８の範囲のビームを放射できる。
【０１６６】
直線導体４１４，４１１Ｃに交流電流が流れる場合も、同様である。
【０１６７】
従って、アンテナ装置４００Ｃは、図１に示すアンテナ装置１００に対して広帯域化できる。
【０１６８】
図２０は、実施の形態４によるアンテナ装置の更に他の概略図である。アンテナ装置４００Ｄは、図１７に示すアンテナ装置４００Ａのアンテナ素子部４１０Ａをアンテナ素子部４１０Ｄに代えたものであり、その他は、アンテナ装置４００Ａと同じである。
【０１６９】
アンテナ素子部４１０Ｄは、図１７に示すアンテナ素子部４１０Ａのループ状導体４０２Ａをループ状導体４０２Ｄに代えたものであり、その他は、アンテナ素子部４１０Ａと同じである。
【０１７０】
直線導体４１４Ａは、直線導体４１４１〜４１４３からなる。そして、直線導体４１４１，４１４３は、直線導体４１２Ａ，４１６Ａと同じ長さ（＝（Ｌ１−Ｌ６）／２）を有する。また、直線導体４１４２は、直線導体４１１Ａと同じ長さＬ６を有する。
【０１７１】
ループ状導体４０２Ｄは、略長方形に配置された直線導体４１１Ａ，４１７Ｄ，４１４２，４１８Ｄからなる。その結果、ループ状導体４０１Ａ，４０２Ｄは、直線導体４１１Ａ，４１４２および給電部４を共有する。そして、ループ状導体４０２Ｄは、基軸ＡＸ１１を中心にして対称な形状を有する。
【０１７２】
直線導体４１７Ｄ，４１８Ｄの各々は、長さＬ１および太さＷ１を有する。そして、直線導体４１７Ｄは、直線導体４１１Ａの一方端と直線導体４１４２の一方端との間に配置され、直線導体４１８Ｄは、直線導体４１１Ａの他方端と直線導体４１４２の他方端との間に配置される。その結果、直線導体４１７Ｄ，４１８Ｄ間の間隔は、長さＬ６に等しくなり、ループ状導体４０２Ｄは、一部（直線導体４１７Ｄ，４１８Ｄの部分）がループ状導体４０１Ａの内周側に設けられる。
【０１７３】
−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード２は、ほぼ開放され、バラクタダイオード３は、ほぼ短絡される。その結果、直線導体４１４３，４１５Ａ，４１６Ａ，４１８Ｄに交流電流が流れ、アンテナ装置４００Ｄは、指向性ＤＩＲ１６を有するビームを放射する。
【０１７４】
また、＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード２は、ほぼ短絡され、バラクタダイオード３は、ほぼ開放される。その結果、直線導体４１２Ａ，４１３Ａ，４１４１，４１７Ｄに交流電流が流れ、アンテナ装置４００Ｄは、指向性ＤＩＲ１７を有するビームを放射する。
【０１７５】
直線導体４１２Ａ，４１３Ａ，４１４１，４１７Ｄに交流電流が流れる場合、直線導体４１２Ａ，４１３Ａ，４１４１からなる直線導体と直線導体４１７Ｄとは、相互に長さが異なるため、直線導体４１２Ａ，４１３Ａ，４１４１からなる直線導体に流れる交流電流は、直線導体４１７Ｄに流れる交流電流と周波数が異なる。即ち、直線導体４１２Ａ，４１３Ａ，４１４１からなる直線導体には、周波数ｆ９の交流電流が流れ、直線導体４１７Ｄには、周波数ｆ１０（＞ｆ９）の交流電流が流れる。その結果、アンテナ装置４００Ｄは、周波数ｆ９〜周波数ｆ１０の範囲のビームを放射できる。
【０１７６】
直線導体４１４３，４１５Ａ，４１６Ａ，４１８Ｄに交流電流が流れる場合も、同様である。
【０１７７】
従って、アンテナ装置４００Ｄは、図１に示すアンテナ装置１００に対して広帯域化できる。
【０１７８】
図２１は、実施の形態４によるアンテナ装置の更に他の概略図である。アンテナ装置４００Ｅは、図１７に示すアンテナ装置４００Ａのアンテナ素子部４１０Ａをアンテナ素子部４１０Ｅに代えたものであり、その他は、アンテナ装置４００Ａと同じである。
【０１７９】
アンテナ素子部４１０Ｅは、図１７に示すアンテナ素子部４１０Ａのループ状導体４０２Ａをループ状導体４０２Ｅに代えたものであり、その他は、アンテナ素子部４１０Ａと同じである。
【０１８０】
直線導体４１３Ａは、直線導体４１３１，４１３２からなり、直線導体４１５Ａは、直線導体４１５１，４１５２からなる。直線導体４１３１，４１３２，４１５１，４１５２の各々は、Ｌ１／２の長さおよび太さＷ１を有する。
【０１８１】
ループ状導体４０２Ｅは、略長方形に配置された直線導体４１１Ａ，４１２Ａ，４１３１，４１７Ｅ，４１５２，４１６Ａからなる。従って、ループ状導体４０１Ａ，４０２Ｅは、直線導体４１１Ａ，４１２Ａ，４１３１，４１５２，４１６Ａを共有する。そして、ループ状導体４０２Ｅは、基軸ＡＸ１１を中心にして対称な形状を有する。
【０１８２】
直線導体４１７Ｅは、Ｌ１の長さおよび太さＷ１を有する。そして、直線導体４１７Ｅは、直線導体４１３１の一方端と直線導体４１５２の一方端との間に配置される。その結果、ループ状導体４０２Ｅは、一部（直線導体４１７Ｅの部分）がループ状導体４０１Ａの内周側に設けられる。
【０１８３】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード２は、ほぼ短絡され、バラクタダイオード３は、ほぼ開放される。その結果、直線導体４１３Ａ，４１４Ａ，４１７Ｅに交流電流が流れ、アンテナ装置４００Ｅは、指向性ＤＩＲ２２を有するビームを放射する。
【０１８４】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード２は、ほぼ開放され、バラクタダイオード３は、ほぼ短絡される。その結果、直線導体４１４Ａ，４１５Ａ，４１７Ｅに交流電流が流れ、アンテナ装置４００Ｅは、指向性ＤＩＲ２３を有するビームを放射する。
【０１８５】
直線導体４１３Ａ，４１４Ａ，４１７Ｅに交流電流が流れる場合、直線導体４１３Ａ，４１４Ａからなる直線導体と直線導体４１３１，４１７Ｅからなる直線導体とは、相互に長さが異なるため、直線導体４１３Ａ，４１４Ａからなる直線導体に流れる交流電流は、直線導体４１３１，４１７Ｅからなる直線導体に流れる交流電流と周波数が異なる。即ち、直線導体４１３Ａ，４１４Ａからなる直線導体には、周波数ｆ１１の交流電流が流れ、直線導体４１３１，４１７Ｅからなる直線導体には、周波数ｆ１２（＞ｆ１１）の交流電流が流れる。その結果、アンテナ装置４００Ｅは、周波数ｆ１１〜周波数ｆ１２の範囲のビームを放射できる。
【０１８６】
直線導体４１４Ａ，４１５Ａ，４１７Ｅに交流電流が流れる場合も、同様である。
【０１８７】
従って、アンテナ装置４００Ｅは、図１に示すアンテナ装置１００に対して広帯域化できる。
【０１８８】
図２２は、実施の形態４によるアンテナ装置の更に他の概略図である。アンテナ装置４００Ｆは、図１６に示すアンテナ装置４００のアンテナ素子部４１０をアンテナ素子部４１０Ｆに代えたものであり、その他は、アンテナ装置４００と同じである。
【０１８９】
アンテナ素子部４１０Ｆは、アンテナ素子部４１０のバラクタダイオード２，３をバラクタダイオード４０３〜４０６に代えたものであり、その他は、アンテナ素子部４１０と同じである。
【０１９０】
バラクタダイオード４０３は、アノードが直線導体４１１，４１２側に配置されるように直線導体４１７の略中点に装荷され、バラクタダイオード４０４は、アノードが直線導体４１５，４１６側に配置されるように直線導体４１８の略中点に装荷される。その結果、バラクタダイオード４０３，４０４は、ループ状導体４０２において端子４１，４２間に逆直列に接続されるとともに、基軸ＡＸ１０を中心にして対称な位置に配置される。
【０１９１】
また、バラクタダイオード４０５は、アノードが直線導体４１２側に配置されるように直線導体４１３の略中点に装荷され、バラクタダイオード４０６は、アノードが直線導体４１５側に配置されるように直線導体４１４の略中点に装荷される。その結果、バラクタダイオード４０５，４０６は、ループ状導体４０１において端子４１，４２間に逆直列に接続されるとともに、基軸ＡＸ１０を中心にして対称な位置に配置される。
【０１９２】
このように、アンテナ装置４００Ｆにおいては、２つのループ状導体４０１，４０２は、それぞれ、２つのバラクタダイオード４０５，４０６および２つのバラクタダイオード４０３，４０４が装荷される。
【０１９３】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０３，４０５は、ほぼ短絡され、バラクタダイオード４０４，４０６は、ほぼ開放される。その結果、直線導体４１１，４１２に交流電流が流れ、アンテナ装置４００Ｆは、指向性ＤＩＲ１を有するビームを放射する。
【０１９４】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０３，４０５は、ほぼ開放され、バラクタダイオード４０４，４０６は、ほぼ短絡される。その結果、直線導体４１５，４１６に交流電流が流れ、アンテナ装置４００Ｆは、指向性ＤＩＲ２を有するビームを放射する。
【０１９５】
直線導体４１１，４１２に交流電流が流れる場合、直線導体４１１，４１２からなる直線導体と直線導体４１１とは、相互に長さが異なるため、直線導体４１１，４１２からなる直線導体に流れる交流電流は、直線導体４１１に流れる交流電流と周波数が異なる。即ち、直線導体４１１，４１２からなる直線導体には、周波数ｆ１３の交流電流が流れ、直線導体４１１には、周波数ｆ１４（＞ｆ１３）の交流電流が流れる。その結果、アンテナ装置４００Ｆは、周波数ｆ１３〜周波数ｆ１４の範囲のビームを放射できる。
【０１９６】
直線導体４１５，４１６に交流電流が流れる場合も、同様である。
【０１９７】
従って、アンテナ装置４００Ｆは、図１に示すアンテナ装置１００に対して広帯域化できる。
【０１９８】
図２３は、実施の形態４によるアンテナ装置の更に他の概略図である。アンテナ装置４００Ｇは、図１７に示すアンテナ装置４００Ａのアンテナ素子部４１０Ａをアンテナ素子部４１０Ｇに代えたものであり、その他は、アンテナ装置４００Ａと同じである。
【０１９９】
アンテナ素子部４１０Ｇは、図１７に示すアンテナ素子部４１０Ａのバラクタダイオード２，３をバラクタダイオード４０３Ａ〜４０６Ａに代えたものであり、その他は、アンテナ素子部４１０Ａと同じである。
【０２００】
バラクタダイオード４０３Ａは、アノードが直線導体４１１Ａ，４１２Ａ側に配置されるように直線導体４１７Ａの略中点に装荷される。バラクタダイオード４０４Ａは、アノードが直線導体４１１Ａ，４１６Ａ側に配置されるように直線導体４１９Ａの略中点に装荷される。その結果、バラクタダイオード４０３Ａ，４０４Ａは、ループ状導体４０２Ａにおいて端子４１，４２間に逆直列に接続されるとともに、基軸ＡＸ１１を中心にして対称な位置に配置される。
【０２０１】
また、バラクタダイオード４０５Ａは、アノードが直線導体４１２Ａ側に配置されるように直線導体４１３Ａの略中点に装荷され、バラクタダイオード４０６Ａは、アノードが直線導体４１６Ａ側に配置されるように直線導体４１５Ａの略中点に装荷される。その結果、バラクタダイオード４０５Ａ，４０６Ａは、ループ状導体４０１Ａにおいて端子４１，４２間に逆直列に接続されるとともに、基軸ＡＸ１１を中心にして対称な位置に配置される。
【０２０２】
このように、アンテナ装置４００Ｇにおいては、２つのループ状導体４０１Ａ，４０２Ａは、それぞれ、２つのバラクタダイオード４０５Ａ，４０６Ａおよび２つのバラクタダイオード４０３Ａ，４０４Ａが装荷される。
【０２０３】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０３Ａ，４０５Ａは、ほぼ短絡され、バラクタダイオード４０４Ａ，４０６Ａは、ほぼ開放される。その結果、直線導体４１２Ａ，４１３Ａ，４１７Ａに交流電流が流れ、アンテナ装置４００Ｇは、指向性ＤＩＲ３を有するビームを放射する。
【０２０４】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０３Ａ，４０５Ａは、ほぼ開放され、バラクタダイオード４０４Ａ，４０６Ａは、ほぼ短絡される。その結果、直線導体４１５Ａ，４１６Ａ，４１９Ａに交流電流が流れ、アンテナ装置４００Ｇは、指向性ＤＩＲ４を有するビームを放射する。
【０２０５】
直線導体４１２Ａ，４１３Ａ，４１７Ａに交流電流が流れる場合、直線導体４１２Ａ，４１３Ａからなる直線導体と直線導体４１７Ａとは、相互に長さが異なるため、直線導体４１２Ａ，４１３Ａからなる直線導体に流れる交流電流は、直線導体４１７Ａに流れる交流電流と周波数が異なる。即ち、直線導体４１２Ａ，４１３Ａからなる直線導体には、周波数ｆ１５の交流電流が流れ、直線導体４１７Ａには、周波数ｆ１６（＞ｆ１５）の交流電流が流れる。その結果、アンテナ装置４００Ｇは、周波数ｆ１５〜周波数ｆ１６の範囲のビームを放射できる。
【０２０６】
直線導体４１５Ａ，４１６Ａ，４１９Ａに交流電流が流れる場合も、同様である。
【０２０７】
従って、アンテナ装置４００Ｇは、図１に示すアンテナ装置１００に対して広帯域化できる。
【０２０８】
図２４は、実施の形態４によるアンテナ装置の更に他の概略図である。アンテナ装置４００Ｈは、図１に示すアンテナ装置１００のアンテナ素子部１０をアンテナ素子部４１０Ｈに代えたものであり、その他は、アンテナ装置１００と同じである。
【０２０９】
アンテナ素子部４１０Ｈは、給電部４と、ループ状導体４０１Ｈ，４０２Ｈと、バラクタダイオード４０３Ｈ〜４０６Ｈとを含む。ループ状導体４０１Ｈは、略正方形に配置された直線導体４１１Ｈ〜４１４Ｈからなり、ループ状導体４０２Ｈは、略正方形に配置された直線導体４１５Ｈ〜４１８Ｈからなる。
【０２１０】
ループ状導体４０２Ｈは、直線導体４１５Ｈと直線導体４１８Ｈとの交差部のみが直線導体４１１Ｈの略中点に位置するようにループ状導体４０１Ｈの内側に配置される。そして、給電部４は、直線導体４１１Ｈの略中点に配置される。
【０２１１】
その結果、ループ状導体４０１Ｈ，４０２Ｈは、給電部４を共有する。
【０２１２】
直線導体４１１Ｈ〜４１４Ｈの各々は、長さＬ１および太さＷ１を有し、直線導体４１５Ｈ〜４１８Ｈの各々は、λ／１６の長さＬ８および太さＷ１を有する。
【０２１３】
バラクタダイオード４０３Ｈは、アノードが直線導体４１５Ｈ側に配置されるように直線導体４１６Ｈの略中点に装荷される。バラクタダイオード４０４Ｈは、アノードが直線導体４１８Ｈ側に配置されるように直線導体４１７Ｈの略中点に装荷される。
【０２１４】
バラクタダイオード４０５Ｈは、アノードが直線導体４１１Ｈ側に配置されるように直線導体４１２Ｈの略中点に装荷される。バラクタダイオード４０６Ｈは、アノードが直線導体４１１Ｈ側に配置されるように直線導体４１４Ｈの略中点に装荷される。
【０２１５】
従って、ループ状導体４０１Ｈ，４０２Ｈを含む平面内において給電部４を通過する基軸をＡＸ１３とした場合、ループ状導体４０１Ｈ，４０２Ｈは、基軸ＡＸ１３を中心とした対称な形状を有する。そして、バラクタダイオード４０３Ｈ，４０４Ｈは、ループ状導体４０２Ｈにおいて端子４１，４２間に逆直列に接続されるとともに、基軸ＡＸ１３を中心にして対称な位置に配置される。また、バラクタダイオード４０５Ｈ，４０６Ｈは、ループ状導体４０１Ｈにおいて端子４１，４２間に逆直列に接続されるとともに、基軸ＡＸ１３を中心にして対称に配置される。
【０２１６】
このように、アンテナ装置４００Ｈにおいては、２つのループ状導体４０１Ｈ，４０２Ｈは、それぞれ、２つのバラクタダイオード４０５Ｈ，４０６Ｈおよび２つのバラクタダイオード４０３Ｈ，４０４Ｈが装荷される。
【０２１７】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０３Ｈ，４０５Ｈは、ほぼ短絡され、バラクタダイオード４０４Ｈ，４０６Ｈは、ほぼ開放される。その結果、直線導体４１１Ｈ，４１２Ｈ，４１５Ｈに交流電流が流れ、アンテナ装置４００Ｈは、指向性ＤＩＲ３を有するビームを放射する。
【０２１８】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０３Ｈ，４０５Ｈは、ほぼ開放され、バラクタダイオード４０４Ｈ，４０６Ｈは、ほぼ短絡される。その結果、直線導体４１１Ｈ，４１４Ｈ，４１８Ｈに交流電流が流れ、アンテナ装置４００Ｈは、指向性ＤＩＲ４を有するビームを放射する。
【０２１９】
直線導体４１１Ｈ，４１２Ｈ，４１５Ｈに交流電流が流れる場合、直線導体４１１Ｈ，４１２Ｈからなる直線導体と直線導体４１５Ｈとは、相互に長さが異なるため、直線導体４１１Ｈ，４１２Ｈからなる直線導体に流れる交流電流は、直線導体４１５Ｈに流れる交流電流と周波数が異なる。即ち、直線導体４１１Ｈ，４１２Ｈからなる直線導体には、周波数ｆ１７の交流電流が流れ、直線導体４１５Ｈには、周波数ｆ１８（＞ｆ１７）の交流電流が流れる。その結果、アンテナ装置４００Ｈは、周波数ｆ１７〜周波数ｆ１８の範囲のビームを放射できる。
【０２２０】
直線導体４１１Ｈ，４１４Ｈ，４１８Ｈに交流電流が流れる場合も、同様である。
【０２２１】
従って、アンテナ装置４００Ｈは、図１に示すアンテナ装置１００に対して広帯域化できる。
【０２２２】
図２５は、実施の形態４によるアンテナ装置の更に他の概略図である。アンテナ装置４００Ｉは、図１に示すアンテナ装置１００のアンテナ素子部１０をアンテナ素子部４１０Ｉに代えたものであり、その他は、アンテナ装置１００と同じである。
【０２２３】
アンテナ素子部４１０Ｉは、図２４に示すアンテナ素子部４１０Ｈのループ状導体４０２Ｈをループ状導体４０２Ｉに代え、バラクタダイオード４０３Ｈ，４０４Ｈを削除したものであり、その他は、アンテナ素子部４１０Ｈと同じである。
【０２２４】
ループ状導体４０２Ｉは、略正方形に配置された直線導体４１５Ｉ〜４１８Ｉからなる。そして、ループ状導体４０２Ｉは、直線導体４１５Ｉと直線導体４１８Ｉとの交差部、直線導体４１５Ｉと直線導体４１６Ｉとの交差部、直線導体４１６Ｉと直線導体４１７Ｉとの交差部および直線導体４１７Ｉと直線導体４１８Ｉとの交差部がそれぞれ直線導体４１１Ｈ，４１２Ｈ，４１３Ｈ，４１４Ｈの略中点に位置するようにループ状導体４０１Ｈの内側に配置される。
【０２２５】
その結果、ループ状導体４０１Ｈ，４０２Ｉは、給電部４を共有する。そして、ループ状導体４０２Ｉは、基軸ＡＸ１３を中心にした対称な形状を有する。また、バラクタダイオード４０５Ｈ，４０６Ｈは、ループ状導体４０１Ｈ，４０２Ｉの両方に装荷される。
【０２２６】
直線導体４１５Ｉ〜４１８Ｉの各々は、Ｌ１／（２）１／２の長さおよび太さＷ１を有する。
【０２２７】
このように、アンテナ装置４００Ｉにおいては、２つのループ状導体４０１Ｈ，４０２Ｉは、２つのバラクタダイオード４０５Ｈ，４０６Ｈが装荷される。
【０２２８】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０５Ｈは、ほぼ短絡され、バラクタダイオード４０６Ｈは、ほぼ開放される。その結果、直線導体４１１Ｈ，４１２Ｈ，４１５Ｉに交流電流が流れ、アンテナ装置４００Ｉは、指向性ＤＩＲ３を有するビームを放射する。
【０２２９】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０５Ｈは、ほぼ開放され、バラクタダイオード４０６Ｈは、ほぼ短絡される。その結果、直線導体４１１Ｈ，４１４Ｈ，４１８Ｉに交流電流が流れ、アンテナ装置４００Ｉは、指向性ＤＩＲ４を有するビームを放射する。
【０２３０】
直線導体４１１Ｈ，４１２Ｈ，４１５Ｉに交流電流が流れる場合、直線導体４１１Ｈ，４１２Ｈからなる直線導体と直線導体４１５Ｉとは、相互に長さが異なるため、直線導体４１１Ｈ，４１２Ｈからなる直線導体に流れる交流電流は、直線導体４１５Ｉに流れる交流電流と周波数が異なる。即ち、直線導体４１１Ｈ，４１２Ｈからなる直線導体には、周波数ｆ１９の交流電流が流れ、直線導体４１５Ｉには、周波数ｆ２０（＞ｆ１９）の交流電流が流れる。その結果、アンテナ装置４００Ｉは、周波数ｆ１９〜周波数ｆ２０の範囲のビームを放射できる。
【０２３１】
直線導体４１１Ｈ，４１４Ｈ，４１８Ｉに交流電流が流れる場合も、同様である。
【０２３２】
従って、アンテナ装置４００Ｉは、図１に示すアンテナ装置１００に対して広帯域化できる。
【０２３３】
図２６は、実施の形態４によるアンテナ装置の更に他の概略図である。アンテナ装置４００Ｊは、図１に示すアンテナ装置１００のアンテナ素子部１０をアンテナ素子部４１０Ｊに代えたものであり、その他は、アンテナ装置１００と同じである。
【０２３４】
アンテナ素子部４１０Ｊは、図２４に示すアンテナ素子部４１０Ｈのループ状導体４０２Ｈをループ状導体４０２Ｊに代え、バラクタダイオード４０３Ｈ，４０４Ｈを削除したものであり、その他は、アンテナ素子部４１０Ｈと同じである。
【０２３５】
ループ状導体４０２Ｊは、略正方形に配置された直線導体４１５Ｊ〜４１８Ｊからなる。そして、ループ状導体４０２Ｊは、直線導体４１５Ｊと直線導体４１８Ｊとの交差部、直線導体４１５Ｊと直線導体４１６Ｊとの交差部および直線導体４１７Ｊと直線導体４１８Ｊとの交差部がそれぞれ直線導体４１１Ｈの略中点、直線導体４１２Ｈ上のバラクタダイオード４０５Ｈの装荷位置、および直線導体４１４Ｈ上のバラクタダイオード４０６Ｈの装荷位置に位置するようにループ状導体４０１Ｈの内側に配置される。即ち、直線導体４１６Ｊと直線導体４１７Ｊとの交差部は、直線導体４１３Ｈの中点から離れている。
【０２３６】
その結果、ループ状導体４０１Ｈ，４０２Ｊは、給電部４を共有する。そして、ループ状導体４０２Ｊは、基軸ＡＸ１３を中心にした対称な形状を有する。また、バラクタダイオード４０５Ｈ，４０６Ｈは、ループ状導体４０１Ｈ，４０２Ｊの両方に装荷される。
【０２３７】
直線導体４１５Ｊ〜４１８Ｊの各々は、λ／１２の長さＬ９および太さＷ１を有する。また、バラクタダイオード４０５Ｈ，４０６Ｈの装荷位置と直線導体４１１Ｈとの距離Ｌ１０は、λ／２０である。
【０２３８】
このように、アンテナ装置４００Ｊにおいては、２つのループ状導体４０１Ｈ，４０２Ｊは、２つのバラクタダイオード４０５Ｈ，４０６Ｈが装荷される。
【０２３９】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０５Ｈは、ほぼ短絡され、バラクタダイオード４０６Ｈは、ほぼ開放される。その結果、直線導体４１１Ｈ，４１２Ｈ，４１５Ｊに交流電流が流れ、アンテナ装置４００Ｊは、指向性ＤＩＲ３を有するビームを放射する。
【０２４０】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０５Ｈは、ほぼ開放され、バラクタダイオード４０６Ｈは、ほぼ短絡される。その結果、直線導体４１１Ｈ，４１４Ｈ，４１８Ｊに交流電流が流れ、アンテナ装置４００Ｊは、指向性ＤＩＲ４を有するビームを放射する。
【０２４１】
直線導体４１１Ｈ，４１２Ｈ，４１５Ｊに交流電流が流れる場合、直線導体４１１Ｈ，４１２Ｈからなる直線導体と直線導体４１５Ｊとは、相互に長さが異なるため、直線導体４１１Ｈ，４１２Ｈからなる直線導体に流れる交流電流は、直線導体４１５Ｊに流れる交流電流と周波数が異なる。即ち、直線導体４１１Ｈ，４１２Ｈからなる直線導体には、周波数ｆ２１の交流電流が流れ、直線導体４１５Ｊには、周波数ｆ２２（＞ｆ２１）の交流電流が流れる。その結果、アンテナ装置４００Ｊは、周波数ｆ２１〜周波数ｆ２２の範囲のビームを放射できる。
【０２４２】
直線導体４１１Ｈ，４１４Ｈ，４１８Ｊに交流電流が流れる場合も、同様である。
【０２４３】
従って、アンテナ装置４００Ｊは、図１に示すアンテナ装置１００に対して広帯域化できる。
【０２４４】
図２７は、実施の形態４によるアンテナ装置の更に他の概略図である。アンテナ装置４００Ｋは、図２２に示すアンテナ装置４００Ｆにおいて、バラクタダイオード４０３，４０４の接続方向を逆転させたものであり、その他は、アンテナ装置４００Ｆと同じである。
【０２４５】
アンテナ装置４００Ｋにおいては、バラクタダイオード４０３は、カソードが直線導体４１１，４１２側に配置されるように直線導体４１７の略中点に装荷され、バラクタダイオード４０４は、カソードが直線導体４１５，４１６側に配置されるように直線導体４１８の略中点に装荷される。
【０２４６】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０４，４０５は、ほぼ短絡され、バラクタダイオード４０３，４０６は、ほぼ開放される。その結果、直線導体４１１，４１２，４１８に交流電流が流れ、アンテナ装置４００Ｆは、指向性ＤＩＲ１を有するビームを放射する。
【０２４７】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０４，４０５は、ほぼ開放され、バラクタダイオード４０３，４０６は、ほぼ短絡される。その結果、直線導体４１５，４１６，４１７に交流電流が流れ、アンテナ装置４００Ｆは、指向性ＤＩＲ２を有するビームを放射する。
【０２４８】
直線導体４１１，４１２，４１８に交流電流が流れる場合、直線導体４１１，４１２からなる直線導体と直線導体４１８とは、相互に長さが異なるため、直線導体４１１，４１２からなる直線導体に流れる交流電流は、直線導体４１８に流れる交流電流と周波数が異なる。即ち、直線導体４１１，４１２からなる直線導体には、周波数ｆ１３の交流電流が流れ、直線導体４１８には、周波数ｆ１４（＞ｆ１３）の交流電流が流れる。その結果、アンテナ装置４００Ｆは、周波数ｆ１３〜周波数ｆ１４の範囲のビームを放射できる。
【０２４９】
直線導体４１５，４１６，４１７に交流電流が流れる場合も、同様である。
【０２５０】
従って、アンテナ装置４００Ｆは、図１に示すアンテナ装置１００に対して広帯域化できる。
【０２５１】
図２８は、実施の形態４によるアンテナ装置の更に他の概略図である。アンテナ装置４００Ｌは、図２３に示すアンテナ装置４００Ｇにおいて、バラクタダイオード４０３Ａ，４０４Ａの接続方向を逆転させたものであり、その他は、アンテナ装置４００Ｇと同じである。
【０２５２】
アンテナ装置４００Ｌにおいては、バラクタダイオード４０３Ａは、カソードが直線導体４１１Ａ，４１２Ａ側に配置されるように直線導体４１７Ａの略中点に装荷され、バラクタダイオード４０４Ａは、カソードが直線導体４１１Ａ，４１６Ａ側に配置されるように直線導体４１９Ａの略中点に装荷される。
【０２５３】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０４Ａ，４０５Ａは、ほぼ短絡され、バラクタダイオード４０３Ａ，４０６Ａは、ほぼ開放される。その結果、直線導体４１２Ａ，４１３Ａ，４１９Ａに交流電流が流れ、アンテナ装置４００Ｌは、指向性ＤＩＲ３を有するビームを放射する。
【０２５４】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０４Ａ，４０５Ａは、ほぼ開放され、バラクタダイオード４０３Ａ，４０６Ａは、ほぼ短絡される。その結果、直線導体４１５Ａ，４１６Ａ，４１７Ａに交流電流が流れ、アンテナ装置４００Ｌは、指向性ＤＩＲ４を有するビームを放射する。
【０２５５】
直線導体４１２Ａ，４１３Ａ，４１９Ａに交流電流が流れる場合、直線導体４１２Ａ，４１３Ａからなる直線導体と直線導体４１９Ａとは、相互に長さが異なるため、直線導体４１２Ａ，４１３Ａからなる直線導体に流れる交流電流は、直線導体４１９Ａに流れる交流電流と周波数が異なる。即ち、直線導体４１２Ａ，４１３Ａからなる直線導体には、周波数ｆ１５の交流電流が流れ、直線導体４１９Ａには、周波数ｆ１６（＞ｆ１５）の交流電流が流れる。その結果、アンテナ装置４００Ｌは、周波数ｆ１５〜周波数ｆ１６の範囲のビームを放射できる。
【０２５６】
直線導体４１５Ａ，４１６Ａ，４１７Ａに交流電流が流れる場合も、同様である。
【０２５７】
従って、アンテナ装置４００Ｌは、図１に示すアンテナ装置１００に対して広帯域化できる。
【０２５８】
図２９は、実施の形態４によるアンテナ装置の更に他の概略図である。アンテナ装置４００Ｍは、図２４に示すアンテナ装置４００Ｈにおいて、バラクタダイオード４０３Ｈ，４０４Ｈの接続方向を逆転させたものであり、その他は、アンテナ装置４００Ｈと同じである。
【０２５９】
アンテナ装置４００Ｍにおいては、バラクタダイオード４０３Ｈは、カソードが直線導体４１５Ｈ側に配置されるように直線導体４１６Ｈの略中点に装荷され、バラクタダイオード４０４Ｈは、カソードが直線導体４１８Ｈ側に配置されるように直線導体４１８Ｈの略中点に装荷される。
【０２６０】
＋１０Ｖの直流電圧ＤＣＶ１が端子４１に印加され、−１０Ｖの直流電圧ＤＣＶ２が端子４２に印加され、更に、交流電圧ＲＦＶが端子４１，４２間に印加されると、バラクタダイオード４０４Ｈ，４０５Ｈは、ほぼ短絡され、バラクタダイオード４０３Ｈ，４０６Ｈは、ほぼ開放される。その結果、直線導体４１１Ｈ（給電部４よりも左側の部分），４１８Ｈに交流電流が流れ、アンテナ装置４００Ｍは、指向性ＤＩＲ４を有するビームを放射する。
【０２６１】
また、−１０Ｖの直流電圧ＤＣＶ１が端子４１に印加され、＋１０Ｖの直流電圧ＤＣＶ２が端子４２に印加され、更に、交流電圧ＲＦＶが端子４１，４２間に印加されると、バラクタダイオード４０４Ｈ，４０５Ｈは、ほぼ開放され、バラクタダイオード４０３Ｈ，４０６Ｈは、ほぼ短絡される。その結果、直線導体４１１Ｈ（給電部４よりも右側の部分），４１５Ｈに交流電流が流れ、アンテナ装置４００Ｍは、指向性ＤＩＲ３を有するビームを放射する。
【０２６２】
直線導体４１１Ｈ（給電部４よりも左側の部分），４１８Ｈに交流電流が流れる場合、直線導体４１１Ｈ（給電部４よりも左側の部分）と直線導体４１８Ｈとは、相互に長さが異なるため、直線導体４１１Ｈ（給電部４よりも左側の部分）に流れる交流電流は、直線導体４１８Ｈに流れる交流電流と周波数が異なる。即ち、直線導体４１１Ｈ（給電部４よりも左側の部分）には、周波数ｆ１７の交流電流が流れ、直線導体４１８Ｈには、周波数ｆ１８（＞ｆ１７）の交流電流が流れる。その結果、アンテナ装置４００Ｍは、周波数ｆ１７〜周波数ｆ１８の範囲のビームを放射できる。
【０２６３】
直線導体４１１Ｈ（給電部４よりも右側の部分），４１５Ｈに交流電流が流れる場合も、同様である。
【０２６４】
従って、アンテナ装置４００Ｍは、図１に示すアンテナ装置１００に対して広帯域化できる。
【０２６５】
［実施の形態５］
図３０は、実施の形態５によるアンテナ装置の概略図である。実施の形態５によるアンテナ装置５００は、図１に示すアンテナ装置１００のアンテナ素子部１０をアンテナ素子部５１０に代えたものであり、その他は、アンテナ装置１００と同じである。
【０２６６】
アンテナ素子部５１０は、給電部４と、ループ状導体５０１と、バラクタダイオード５０２〜５０５とを含む。
【０２６７】
ループ状導体５０１は、略正方形に配置された４本の直線導体５１１〜５１４からなる。直線導体５１１〜５１４の各々は、λ／４の長さＬ１１および太さＷ１を有する。給電部４は、直線導体５１１と直線導体５１４との交差部に配置される。
【０２６８】
バラクタダイオード５０２は、カソードが直線導体５１２側に配置されるように直線導体５１１の中点よりも直線導体５１２寄りに装荷され、バラクタダイオード５０３は、カソードが直線導体５１１側に配置されるように直線導体５１２の略中点に装荷される。また、バラクタダイオード５０４は、カソードが直線導体５１４側に配置されるように直線導体５１３の略中点に装荷され、バラクタダイオード５０５は、カソードが直線導体５１３側に配置されるように直線導体５１４の中点よりも直線導体５１３寄りに装荷される。
【０２６９】
その結果、バラクタダイオード５０２〜５０５は、ループ状導体５０１において、隣接するバラクタダイオードと逆直列に接続される。
【０２７０】
そして、ループ状導体５０１を含む平面内において給電部４を通過する基軸をＡＸ１４とした場合、ループ状導体５０１は、基軸ＡＸ１４を中心にした対称な形状を有し、バラクタダイオード５０２〜５０５は、基軸ＡＸ１４を中心にして対称に配置される。
【０２７１】
図３１および図３２は、それぞれ、図３０に示すアンテナ装置５００の動作を説明するための第１および第２の概念図である。なお、図３１においては、直線導体５１２は、直線導体５１２１，５１２２からなり、直線導体５１４は、直線導体５１４１，５１４２からなる。また、図３２においては、直線導体５１１は、直線導体５１１１，５１１２からなり、直線導体５１３は、直線導体５１３１，５１３２からなる。
【０２７２】
＋１０Ｖの直流電圧ＤＣＶ１が給電部４の端子４１に印加され、−１０Ｖの直流電圧ＤＣＶ２が給電部４の端子４２に印加され、更に、交流電圧ＥＦＶが端子４１，４２間に印加されると、バラクタダイオード５０２，５０４は、ほぼ短絡（ショート）され、バラクタダイオード５０３，５０５は、ほぼ開放（オープン）される（図３１の（ａ）参照）。
【０２７３】
その結果、ループ状導体５０１は、バラクタダイオード５０３，５０５の部分で電気的に切断された導体と同等になる（図３１の（ｂ）参照）。即ち、ループ状導体５０１は、給電部４を備える直線導体５１２１，５１１，５１４１と、直線導体５１２２，５１３，５１４２とに分離される。
【０２７４】
そうすると、直線状に配置された直線導体５１２１，５１１，５１４１は、λ／２の長さを有する放射器ＲＡＤ１として機能し、直線状に配置された直線導体５１２２，５１３，５１４２は、λ／２よりも短い長さを有する導波器ＧＵＤ１として機能する。そして、直線状に配置された直線導体５１２１，５１１，５１４１と直線状に配置された直線導体５１２２，５１３，５１４２との間隔は、λ／４である。
【０２７５】
給電部４には、交流電圧ＲＦＶが供給されているので、直線状に配置された直線導体５１２１，５１１，５１４１からなる放射器ＲＡＤ１は、電波を放射し、直線状に配置された直線導体５１２２，５１３，５１４２からなる導波器ＧＵＤ１は、放射器ＲＡＤ１から放射された電波を矢印Ｙ１の方向に導く（図３１の（ｃ）参照）。
【０２７６】
従って、アンテナ装置５００は、指向性ＤＩＲ２４を有するビームを放射する。
【０２７７】
一方、−１０Ｖの直流電圧ＤＣＶ１が給電部４の端子４１に印加され、＋１０Ｖの直流電圧ＤＣＶ２が端子４２に印加され、交流電圧ＲＦＶが端子４１，４２間に印加されると、バラクタダイオード５０２，５０４は、ほぼ開放（オープン）され、バラクタダイオード５０３，５０５は、ほぼ短絡（ショート）される（図３２の（ａ）参照）。
【０２７８】
その結果、ループ状導体５０１は、バラクタダイオード５０２，５０４の部分で電気的に切断された導体と同等になる（図３２の（ｂ）参照）。即ち、ループ状導体５０１は、給電部４を備える直線導体５１１１，５１４，５１３２と、直線導体５１１２，５１２，５１３１とに分離される。
【０２７９】
そうすると、直線状に配置された直線導体５１１１，５１４，５１３２は、λ／２の長さを有する放射器ＲＡＤ２として機能し、直線状に配置された直線導体５１１２，５１２，５１３１は、λ／２よりも短い長さを有する導波器ＧＵＤ２として機能する。そして、直線状に配置された直線導体５１１１，５１４，５１３２と直線状に配置された直線導体５１１２，５１２，５１３１との間隔は、λ／４である。
【０２８０】
給電部４には、交流電圧ＲＦＶが供給されているので、直線状に配置された直線導体５１１１，５１４，５１３２からなる放射器ＲＡＤ２は、電波を放射し、直線状に配置された直線導体５１１２，５１２，５１３１からなる導波器ＧＵＤ２は、放射器ＲＡＤ２から放射された電波を矢印Ｙ２の方向に導く（図３２の（ｃ）参照）。
【０２８１】
従って、アンテナ装置５００は、指向性ＤＩＲ２５を有するビームを放射する。
【０２８２】
アンテナ装置５００においては、直流電圧ＤＣＶ１，ＤＣＶ２を給電部４に供給することによってバラクタダイオード５０２〜５０５のほぼ短絡およびほぼ開放が生じ、ループ状導体５０１は、放射器ＲＡＤ１，ＲＡＤ２として機能する導体と、導波器ＧＵＤ１，ＧＵＤ２として機能する導体とに分離される。つまり、アンテナ装置５００は、八木宇田アレーアンテナとして機能する。
【０２８３】
従って、アンテナ装置５００においては、導波器ＧＵＤ１，ＧＵＤ２の機能により面内利得が向上するとともに、電流の打ち消しが弱くなる結果、インピーダンス整合が取り易くなる。また、アンテナ装置５００においては、バラクタダイオード５０２，５０５を装荷する位置によって導波器ＧＵＤ１，ＧＵＤ２を構成する直線導体の長さを調整できるので、導波器ＧＵＤ１，ＧＵＤ２の機能を調整することができる。
【０２８４】
図３３は、実施の形態５によるアンテナ装置の他の概略図である。アンテナ装置５００Ａは、図３０に示すアンテナ装置５００のアンテナ素子部５１０をアンテナ素子部５１０Ａに代えたものであり、その他は、アンテナ装置５００と同じである。
【０２８５】
アンテナ素子部５１０Ａは、図３０に示すアンテナ素子部５１０のループ状導体５０１をループ状導体５０１Ａに代えたものであり、その他は、アンテナ素子部５１０と同じである。
【０２８６】
ループ状導体５０１Ａは、図３０に示すループ状導体５０１と同じ周囲長を有し、線状導体５１１Ａ〜５１４Ａからなる。線状導体５１１Ａは、直線導体５１１１Ａ〜５１１４Ａからなる。直線導体５１１１Ａ，５１１４Ａは、１つの直線上に所定の間隔で配置される。直線導体５１１２Ａ，５１１３Ａは、同じ長さを有する。そして、直線導体５１１２Ａは、直線導体５１１１Ａと４５度の角度を成すように、その一方端が直線導体５１１１Ａと接続され、ループ状導体５１０Ａの内側へ向かって配置される。また、直線導体５１１３Ａは、直線導体５１１４Ａと４５度の角度を成すように、その一方端が直線導体５１１４Ａと接続され、ループ状導体５０１Ａの内側へ向かって配置される。その結果、直線導体５１１２Ａは、直線導体５１１３Ａと９０度の角度を成すように、その他方端が直線導体５１１３Ａの他方端と接続される。
【０２８７】
線状導体５１２Ａ，５１３Ａ，５１４Ａの各々も、線状導体５１１Ａと同じ構造からなる。
【０２８８】
そして、バラクタダイオード５０２〜５０５は、それぞれ、線状導体５１１Ａ〜５１４Ａにおいて、２つの直線導体が９０度の角度を成す頂点に装荷される。
【０２８９】
従って、ループ状導体５０１Ａは、基軸ＡＸ１４を中心にした対称な形状を有し、バラクタダイオード５０２〜５０５は、基軸ＡＸ１４を中心にして対称に配置される。
【０２９０】
アンテナ装置５００Ａは、アンテナ装置５００と同じように八木宇田アレーアンテナとして機能する。そして、アンテナ装置５００Ａは、＋１０の直流電圧ＤＣＶ１が給電部４の端子４１に印加され、−１０Ｖの直流電圧ＤＣＶ２が端子４２に印加され、交流電圧ＥＦＶが端子４１，４２間に印加されると、アンテナ装置５００と同じように指向性ＤＩＲ２４を有するビームを放射し、−１０の直流電圧ＤＣＶ１が給電部４の端子４１に印加され、＋１０Ｖの直流電圧ＤＣＶ２が端子４２に印加され、交流電圧ＥＦＶが端子４１，４２間に印加されると、アンテナ装置５００と同じように指向性ＤＩＲ２５を有するビームを放射する。
【０２９１】
アンテナ装置５００Ａにおいては、線状導体５１１Ａ〜５１４Ａの各々は、ループ状導体５０１Ａの内側へ屈曲した屈曲部（直線導体５１１２Ａ，５１１３Ａの部分）を有するので、周囲長を保持したまま、アンテナ装置５００よりも面積を小さくできる。
【０２９２】
また、アンテナ装置５００Ａは、次の特徴を有する。図３４は、バラクタダイオードがほぼ開放（オープン）されたときの相互作用の違いを説明するための図である。バラクタダイオードＢＤが直線導体５０に装荷された場合、バラクタダイオードＢＤがほぼ開放（オープン）されると、直線導体５０は、２つの導体部５１，５２に分離される。
【０２９３】
そして、電流は、導体部５１，５２を矢印Ｙ３の方向に流れる。つまり、電流は、導体部５１，５２を同じ方向に流れる。その結果、導体部５１，５２間における相互作用は大きくなる（図３４の（ａ）参照）。
【０２９４】
一方、バラクタダイオードＢＤが屈曲導体６０に装荷された場合、バラクタダイオードＢＤがほぼ開放（オープン）されると、屈曲導体６０は、２つの導体部６１，６２に分離される。
【０２９５】
そして、電流は、導体部６１を矢印Ｙ４の方向に流れ、導体部６２を矢印Ｙ５の方向に流れる。つまり、電流は、導体部６１，６２を異なる方向に流れる。その結果、導体部６１，６２間における相互作用は小さくなる（図３４の（ｂ）参照）。
【０２９６】
従って、アンテナ装置５００Ａは、アンテナ装置５００よりも、放射器ＲＡＤ１，ＲＡＤ２と導波器ＧＵＤ１，ＧＵＤ２との間の相互作用を小さくできる。
【０２９７】
［実施の形態６］
図３５は、実施の形態６によるアンテナ装置の概略図である。実施の形態６によるアンテナ装置６００は、アンテナ素子部６１０と、同軸ケーブル６２０，６３０と、交流電源６４０と、直流電源６５０とを備える。
【０２９８】
アンテナ素子部６１０は、ループ状導体１と、バラクタダイオード２，３と、給電部６１１，６１２と、抵抗部６１３と、接地板６１４とを含む。ループ状導体１およびバラクタダイオード２，３については、実施の形態１において説明したとおりである。
【０２９９】
給電部６１１は、略正方形からなるループ状導体１の１つの頂点に配置され、給電部６１２は、給電部６１１が配置された頂点に対向する頂点に配置される。そして、給電部６１１は、端子６１１Ａ，６１１Ｂからなり、給電部６１２は、端子６１２Ａ，６１２Ｂからなる。抵抗部６１３は、給電部６１２の端子６１２Ａ，６１２Ｂと、接地板６１４との間に配置される。接地板６１４は、ループ状導体１に対向し、ループ状導体１の面内方向に略平行に配置される。
【０３００】
同軸ケーブル６２０は、芯導体６２１と、絶縁体６２２と、被覆導体６２３とからなる。絶縁体６２２は、芯導体６２１を覆う。被覆導体６２３は、絶縁体６２２を覆う。そして、芯導体６２１は、給電部６１１の端子６１１Ａに接続され、被覆導体６２３は、給電部６１１の端子６１１Ｂに接続される。
【０３０１】
同軸ケーブル６３０は、芯導体６３１と、絶縁体６３２と、被覆導体６３３とからなる。絶縁体６３２は、芯導体６３１を覆う。被覆導体６３３は、絶縁体６３２を覆う。そして、芯導体６３１は、給電部６１２の端子６１２Ａに接続され、被覆導体６２３は、給電部６１２の端子６１２Ｂに接続される。
【０３０２】
交流電源６４０は、同軸ケーブル６２０の芯導体６２１と被覆導体６２３との間に接続される。そして、交流電源６４０は、同軸ケーブル６２０を介して交流電圧ＲＦＶを給電部６１１に供給する。
【０３０３】
直流電源６５０は、同軸ケーブル６３０の芯導体６３１と被覆導体６３３との間に接続される。そして、直流電源６５０は、極性の異なる直流電圧を同軸ケーブル６３０を介して給電部６１２に供給する。
【０３０４】
このように、アンテナ装置６００は、交流電圧が供給される給電部６１１と、直流電圧が供給される給電部６１２とを有する。
【０３０５】
その他は、アンテナ装置１００と同じである。
【０３０６】
なお、上述した各種のアンテナ装置においても、アンテナ装置６００と同じように、交流電圧が供給される給電部と、直流電圧が供給される給電部とを設けるようにしてもよい。
【０３０７】
［実施の形態７］
図３６は、実施の形態７によるアンテナ装置の概略図である。実施の形態７によるアンテナ装置７００は、図１に示すアンテナ装置１００のアンテナ素子部１０をアンテナ素子部７１０に代えたものであり、その他は、アンテナ装置１００と同じである。
【０３０８】
アンテナ素子部７１０は、給電部４と、ループ状導体７０１，７０２と、バラクタダイオード７０３〜７０６とを含む。ループ状導体７０１は、略正方形に配置された直線導体７１１〜７１４からなり、ループ導体導体７０２は、略正方形に配置された直線導体７１１，７１５〜７１７からなる。そして、給電部４は、直線導体７１１の略中点に配置される。従って、２つのループ状導体７０１，７０２は、給電部４および直線導体７１１を共有し、給電部４および直線導体７１１を中心にして相互に対称に配置される。
【０３０９】
直線導体７１１〜７１７の各々は、長さＬ１および太さＷ１を有する。バラクタダイオード７０３は、カソードが直線導体７１１側に配置されるように直線導体７１２の略中点に装荷される。バラクタダイオード７０４は、カソードが直線導体７１１側に配置されるように直線導体７１４の略中点に装荷される。
【０３１０】
バラクタダイオード７０５は、カソードが直線導体７１１側に配置されるように直線導体７１５の略中点に装荷される。バラクタダイオード７０６は、カソードが直線導体７１１側に配置されるように直線導体７１７の略中点に装荷される。
【０３１１】
その結果、バラクタダイオード７０３，７０４は、ループ状導体７０１において、端子４１，４２間に逆直列に接続され、バラクタダイオード７０５，７０６は、ループ状導体７０２において、端子４１，４２間に逆直列に接続される。
【０３１２】
また、バラクタダイオード７０３，７０５は、直線導体７１２，７１５において逆直列に接続され、バラクタダイオード７０４，７０６は、直線導体７１４，７１７において逆直列に接続される。
【０３１３】
ループ状導体７０１，７０２を含む平面内において給電部４を通過する基軸をＡＸ１５とした場合、ループ状導体７０１，７０２は、基軸ＡＸ１５を中心にして対称な形状を有し、バラクタダイオード７０３〜７０６は、基軸ＡＸ１５を中心にして対称な位置に配置される。
【０３１４】
＋１０Ｖの直流電圧ＤＣＶ１が給電部４の端子４１に供給され、−１０Ｖの直流電圧ＤＣＶ２が給電部４の端子４２に供給され、更に、交流電圧ＲＦＶが端子４１，４２間に供給されると、バラクタダイオード７０３，７０５は、ほぼ開放され、バラクタダイオード７０４，７０６は、ほぼ短絡される。
【０３１５】
その結果、直線導体７１４，７１７に交流電流が流れ、アンテナ装置７００は、指向性ＤＩＲ２６を有するビームを放射する。
【０３１６】
また、−１０Ｖの直流電圧ＤＣＶ１が給電部４の端子４１に供給され、＋１０Ｖの直流電圧ＤＣＶ２が給電部４の端子４２に供給され、更に、交流電圧ＲＦＶが端子４１，４２間に供給されると、バラクタダイオード７０３，７０５は、ほぼ短絡され、バラクタダイオード７０４，７０６は、ほぼ開放される。
【０３１７】
その結果、直線導体７１２，７１５に交流電流が流れ、アンテナ装置７００は、指向性ＤＩＲ２７を有するビームを放射する。
【０３１８】
図３７は、実施の形態７によるアンテナ装置の他の概略図である。アンテナ装置７００Ａは、アンテナ装置７００のバラクタダイオード７０５，７０６の接続方向を逆転したものであり、その他は、アンテナ装置７００と同じである。
【０３１９】
＋１０Ｖの直流電圧ＤＣＶ１が給電部４の端子４１に供給され、−１０Ｖの直流電圧ＤＣＶ２が給電部４の端子４２に供給され、更に、交流電圧ＲＦＶが端子４１，４２間に供給されると、バラクタダイオード７０３，７０６は、ほぼ開放され、バラクタダイオード７０４，７０５は、ほぼ短絡される。
【０３２０】
その結果、直線導体７１４，７１５に交流電流が流れ、アンテナ装置７００Ａは、指向性ＤＩＲ２８，ＤＩＲ２９を有するビームを放射する。
【０３２１】
また、−１０Ｖの直流電圧ＤＣＶ１が給電部４の端子４１に供給され、＋１０Ｖの直流電圧ＤＣＶ２が給電部４の端子４２に供給され、更に、交流電圧ＲＦＶが端子４１，４２間に供給されると、バラクタダイオード７０３，７０６は、ほぼ短絡され、バラクタダイオード７０４，７０５は、ほぼ開放される。
【０３２２】
その結果、直線導体７１２，７１７に交流電流が流れ、アンテナ装置７００Ａは、指向性ＤＩＲ３０，ＤＩＲ３１を有するビームを放射する。
【０３２３】
［実施の形態８］
図３８は、実施の形態８によるアンテナ装置の概略図である。実施の形態８によるアンテナ装置８００は、図１に示すアンテナ装置１００のアンテナ素子部１０をアンテナ素子部８１０に代えたものであり、その他は、アンテナ装置１００と同じである。
【０３２４】
アンテナ素子部８１０は、給電部４と、ループ状導体８０１，８０２と、バラクタダイオード８０３，８０４とを含む。ループ状導体８０１は、略正方形に配置された直線導体８１１〜７１６からなり、ループ導体導体８０２は、概ね、正方形に配置された直線導体８１７，８１８，８１２，８１９，８２０，８２１，８２２，８１５，８２３，８２４からなる。そして、給電部４は、直線導体８１５の略中点に配置される。従って、２つのループ状導体８０１，８０２は、給電部４および直線導体８１５を共有する。
【０３２５】
直線導体８１１〜８２４の各々は、長さＬ１および太さＷ１を有する。バラクタダイオード８０３は、カソードが直線導体８１３，８２０側に配置されるように直線導体８１３，８２０と直線導体８１４，８２１との間に装荷される。バラクタダイオード８０４は、カソードが直線導体８１１，８１７側に配置されるように直線導体８１１，８１７と直線導体８１６，８２４との間に装荷される。
【０３２６】
その結果、バラクタダイオード８０３，８０４は、ループ状導体８０１，８０２において、端子４１，４２間に逆直列に接続される。
【０３２７】
ループ状導体８０１，８０２を含む平面内において給電部４を通過する基軸をＡＸ１６とした場合、ループ状導体８０１，８０２は、基軸ＡＸ１６を中心にして対称な形状を有し、バラクタダイオード８０３，８０４は、基軸ＡＸ１６を中心にして対称な位置に配置される。
【０３２８】
＋１０Ｖの直流電圧ＤＣＶ１が給電部４の端子４１に供給され、−１０Ｖの直流電圧ＤＣＶ２が給電部４の端子４２に供給され、更に、交流電圧ＲＦＶが端子４１，４２間に供給されると、バラクタダイオード８０３は、ほぼ短絡され、バラクタダイオード８０４は、ほぼ開放される。
【０３２９】
その結果、直線導体８１４，８２２，８２１，８３１，８２０，８１９に交流電流が流れ、アンテナ装置８００は、指向性ＤＩＲ３２〜ＤＩＲ３７を有するビームを放射する。
【０３３０】
また、−１０Ｖの直流電圧ＤＣＶ１が給電部４の端子４１に供給され、＋１０Ｖの直流電圧ＤＣＶ２が給電部４の端子４２に供給され、更に、交流電圧ＲＦＶが端子４１，４２間に供給されると、バラクタダイオード８０３は、ほぼ開放され、バラクタダイオード８０４は、ほぼ短絡される。
【０３３１】
その結果、直線導体８１６，８２３，８２４，８１１，８１７，８１８に交流電流が流れ、アンテナ装置８００は、指向性ＤＩＲ３８〜ＤＩＲ４３を有するビームを放射する。
【０３３２】
直線導体８１４，８２２，８２１，８３１，８２０，８１９に交流電流が流れる場合、直線導体８２１，８２２からなる直線導体と直線導体８１４とは、相互に長さが異なり、直線導体８１９，８２０からなる直線導体と直線導体８１３とは、相互に長さがことなるため、直線導体８２１，８２２；８１９，８２０からなる直線導体に流れる交流電流は、直線導体８１４，８１３に流れる交流電流と周波数が異なる。即ち、直線導体８２１，８２２；８１９，８２０からなる直線導体には、周波数ｆ２３の交流電流が流れ、直線導体８１４，８１３には、周波数ｆ２４（＞ｆ２３）の交流電流が流れる。その結果、アンテナ装置８００は、周波数ｆ２３〜周波数ｆ２４の範囲のビームを放射できる。
【０３３３】
直線導体８１６，８２３，８２４，８１１，８１７，８１８に交流電流が流れる場合も、同様である。
【０３３４】
従って、アンテナ装置８００は、図１に示すアンテナ装置１００に対して広帯域化できる。
【０３３５】
なお、アンテナ装置８００は、ＳｈＲｉｑｕｅｎアンテナと呼ばれる。そして、アンテナ装置８００のような形状にすることにより、アンテナを設置する面積を保持したまま、外側のループ状導体８０２を長くできる。また、外側のループ状導体８０２と内側のループ状導体８０１との長さの差を選択する設計の自由度を得ることができる。
【０３３６】
図３９は、指向性利得および位相と角度との関係を示す図である。図３９の（ａ）は、周波数４７０ＭＨｚの場合を示し、図３９の（ｂ）は、周波数が７７０ＭＨｚの場合を示す。
【０３３７】
図３９の（ａ），（ｂ）において、縦軸は、指向性利得および位相を表し、横軸は、角度を表す。そして、図３９の（ａ）において、曲線ｋ１は、指向性Ｅ１における指向性利得を示し、曲線ｋ２は、指向性Ｅ２における指向性利得を示す。また、曲線ｋ３は、指向性Ｅ１における位相を示し、曲線ｋ４は、指向性Ｅ２における位相を示す。
【０３３８】
図３９の（ｂ）において、曲線ｋ５は、指向性Ｅ１における指向性利得を示し、曲線ｋ６は、指向性Ｅ２における指向性利得を示す。また、曲線ｋ７は、指向性Ｅ１における位相を示し、曲線ｋ８は、指向性Ｅ２における位相を示す。
【０３３９】
なお、横軸の角度φは、図３８に示す給電部４から直線導体８１５への方向を０度とし、基軸ＡＸ１６から反時計回りの方向を正とする角度である。
【０３４０】
図３９の（ａ），（ｂ）に示す結果から、アンテナ装置８００（Ｓｈｒｉｑｕｅｎアンテナ）の位相パターンは、給電点（φ＝０度）に対して対称に切換わる。従って、指向性ダイバーシティ効果が得られる。
【０３４１】
図４０は、バラクタダイオードの構成図である。上述したバラクタダイオード２，２Ａ，２Ｂ，２Ｃ，２Ｄ，２Ｅ，２Ｆ，３，３Ａ，３Ｂ，３Ｃ，３Ｄ，３Ｅ，３Ｆ，４０３〜４０６，４０３Ａ〜４０６Ａ，４０３Ｈ〜４０６Ｈ，５０２〜５０５，７０３〜７０６，８０３，８０４の各々は、図４０に示すバラクタダイオードＢＤ１またはＢＤ２からなる。
【０３４２】
バラクタダイオードＢＤ１は、インダクタ１０１，１０２と、キャパシタ１０３とからなる。インダクタ１０２およびキャパシタ１０３は、並列に接続される。そして、インダクタ１０１は、並列接続されたインダクタ１０２およびキャパシタ１０３と直列に接続される。
【０３４３】
インダクタ１０１，１０２は、それぞれ、インダクタンスＬｓ，Ｌｐを有し、キャパシタ１０３は、可変容量Ｃを有する（図４０の（ａ）参照）。
【０３４４】
バラクタダイオードＢＤ２は、キャパシタ１０４，１０６と、インダクタ１０５とからなる。インダクタ１０５およびキャパシタ１０６は、並列に接続される。そして、キャパシタ１０４は、並列接続されたインダクタ１０５およびキャパシタ１０６と直列に接続される。
【０３４５】
キャパシタ１０４は、容量Ｃｓを有し、インダクタ１０５は、インダクタンスＬｐを有し、キャパシタ１０６は、可変容量Ｃを有する（図４０の（ｂ）参照）。
【０３４６】
バラクタダイオードＢＤ１において、インダクタ１０２およびキャパシタ１０３が並列接続されているのは、バラクタダイオードＢＤ１に直流電圧が印加されるようにするためであり、バラクタダイオードＢＤ２において、インダクタ１０４，１０５が直列接続されているのは、バラクタダイオードＢＤ２に直流電圧が印加されるようにするためである。
【０３４７】
このように、バラクタダイオード２，２Ａ，２Ｂ，２Ｃ，２Ｄ，２Ｅ，２Ｆ，３，３Ａ，３Ｂ，３Ｃ，３Ｄ，３Ｅ，３Ｆ，４０３〜４０６，４０３Ａ〜４０６Ａ，４０３Ｈ〜４０６Ｈ，５０２〜５０５，７０３〜７０６，８０３，８０４の各々は、インダクタとキャパシタとを用いて構成される。
【０３４８】
なお、上記においては、ループ状導体の形状として、正方形、長方形および円を示したが、この発明においては、これに限らず、ループ状導体の形状は、三角形、正五角形、および正八角形等であってもよく、一般的には、ループ状導体の形状は、三角形以上の正多角形であればよい。
【０３４９】
また、上記においては、芯導体２１と、被覆導体２３とを含む同軸ケーブル２０を介して交流電圧ＲＦＶおよび直流電圧ＤＣＶ１，ＤＣＶ２が給電部４に供給され、芯導体６２１と被覆導体６２３とを含む同軸ケーブル６２０、および芯導体６３１と被覆導体６３３とを含む同軸ケーブル６３０を介して交流電圧ＲＦＶおよび直流電圧ＤＣＶ１，ＤＣＶ２がそれぞれ給電部６１１，６１２に供給されると説明したが、この発明においては、これに限らず、略平行な２つの導体線からなるケーブルを介して交流電圧ＲＦＶおよび直流電圧ＤＣＶ１，ＤＣＶ２が給電部４，６１１，６１２に供給されてもよい。この場合、２つの導体線は、略平行になっているが、これは、一定の特性インピーダンスとするためである。
【０３５０】
同軸ケーブル２０，６２０，６３０の芯導体２１，６２１，６３１は、絶縁体２２，６２２，６３２を介して被覆導体２３，６２３，６３３によって覆われているため、芯導体２１，６２１，６３１および被覆導体２３，６２３，６３３は、相互に略平行になっており、同軸ケーブル２０，６２０を介して交流電圧ＲＦＶを供給することによりインピーダンス整合が取れる。従って、同軸ケーブル２０，６２０，６３０は、略平行な２つの導体線からなるケーブルに含まれる。
【０３５１】
そして、この発明においては、交流電圧ＲＦＶおよび直流電圧ＤＣＶ１，ＤＣＶ２は、一般的に、交流電圧ＲＦＶを供給するときのインピーダンス整合が取れる２つの導体線からなるケーブルを介して供給されればよい。
【０３５２】
更に、上記においては、偶数個のバラクタダイオードが各ループ状導体１，１Ａ，１Ｂ，１Ｃ，１Ｄ，１Ｅ，１Ｆ，２０１，３０１，３０１Ａ，４０１，４０２，４０１Ａ，４０２Ａ，４０１Ｂ，４０２Ｂ，４０１Ｃ，４０２Ｃ，４０２Ｄ，４０２Ｅ，４０１Ｈ，４０２Ｈ，４０２Ｉ，４０２Ｊ，５０１，５０１Ａ，７０１，７０２，８０１，８０２に装荷されると説明したが、この発明においては、これに限らず、奇数個のバラクタダイオードが各ループ状導体１，１Ａ，１Ｂ，１Ｃ，１Ｄ，１Ｅ，１Ｆ，２０１，３０１，３０１Ａ，４０１，４０２，４０１Ａ，４０２Ａ，４０１Ｂ，４０２Ｂ，４０１Ｃ，４０２Ｃ，４０２Ｄ，４０２Ｅ，４０１Ｈ，４０２Ｈ，４０２Ｉ，４０２Ｊ，５０１，５０１Ａ，７０１，７０２，８０１，８０２に装荷されていてもよい。
【０３５３】
更に、上記においては、ループ状導体１，１Ａ，１Ｂ，１Ｃ，１Ｄ，１Ｅ，１Ｆ，２０１，３０１，３０１Ａ，４０１，４０２，４０１Ａ，４０２Ａ，４０１Ｂ，４０２Ｂ，４０１Ｃ，４０２Ｃ，４０２Ｄ，４０２Ｅ，４０１Ｈ，４０２Ｈ，４０２Ｉ，４０２Ｊ，５０１，５０１Ａ，７０１，７０２，８０１，８０２は、基軸ＡＸ１〜ＡＸ１６に対して対称な形状を有すると説明したが、この発明においては、これに限らず、ループ状導体１，１Ａ，１Ｂ，１Ｃ，１Ｄ，１Ｅ，１Ｆ，２０１，３０１，３０１Ａ，４０１，４０２，４０１Ａ，４０２Ａ，４０１Ｂ，４０２Ｂ，４０１Ｃ，４０２Ｃ，４０２Ｄ，４０２Ｅ，４０１Ｈ，４０２Ｈ，４０２Ｉ，４０２Ｊ，５０１，５０１Ａ，７０１，７０２，８０１，８０２は、基軸ＡＸ１〜ＡＸ１６に対して非対称な形状を有していてもよい。
【０３５４】
更に、上記においては、バラクタダイオード２，２Ａ，２Ｂ，２Ｃ，２Ｄ，２Ｅ，２Ｆ，３，３Ａ，３Ｂ，３Ｃ，３Ｄ，３Ｅ，３Ｆ，４０３〜４０６，４０３Ａ〜４０６Ａ，４０３Ｈ〜４０６Ｈ，５０２〜５０５，７０３〜７０６，８０３，８０４は、基軸ＡＸ１〜ＡＸ１６に対して対称に配置されると説明したが、この発明においては、これに限らず、バラクタダイオード２，２Ａ，２Ｂ，２Ｃ，２Ｄ，２Ｅ，２Ｆ，３，３Ａ，３Ｂ，３Ｃ，３Ｄ，３Ｅ，３Ｆ，４０３〜４０６，４０３Ａ〜４０６Ａ，４０３Ｈ〜４０６Ｈ，５０２〜５０５，７０３〜７０６，８０３，８０４は、基軸ＡＸ１〜ＡＸ１６に対して非対称に配置されていてもよい。
【０３５５】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【０３５６】
この発明は、アンテナ特性を可変制御可能なループ状のアンテナ装置に適用される。
【図面の簡単な説明】
【０３５７】
【図１】この発明の実施の形態１によるアンテナ装置の概略図である。
【図２】図１に示すアンテナ装置の指向性を説明するための第１の概念図である。
【図３】図２に示すＡ方向から見たアンテナ素子部の側面図である。
【図４】図１に示すアンテナ装置の指向性を説明するための第２の概念図である。
【図５】図４に示すＢ方向から見たアンテナ素子部の側面図である。
【図６】実施の形態１によるアンテナ装置の他の概略図である。
【図７】実施の形態１によるアンテナ装置の更に他の概略図である。
【図８】実施の形態１によるアンテナ装置の更に他の概略図である。
【図９】実施の形態１によるアンテナ装置の更に他の概略図である。
【図１０】実施の形態１によるアンテナ装置の更に他の概略図である。
【図１１】実施の形態１によるアンテナ装置の更に他の概略図である。
【図１２】実施の形態２によるアンテナ装置の概略図である。
【図１３】実施の形態２によるアンテナ装置の他の概略図である。
【図１４】実施の形態３によるアンテナ装置の概略図である。
【図１５】実施の形態３によるアンテナ装置の他の概略図である。
【図１６】実施の形態４によるアンテナ装置の概略図である。
【図１７】実施の形態４によるアンテナ装置の他の概略図である。
【図１８】実施の形態４によるアンテナ装置の更に他の概略図である。
【図１９】実施の形態４によるアンテナ装置の更に他の概略図である。
【図２０】実施の形態４によるアンテナ装置の更に他の概略図である。
【図２１】実施の形態４によるアンテナ装置の更に他の概略図である。
【図２２】実施の形態４によるアンテナ装置の更に他の概略図である。
【図２３】実施の形態４によるアンテナ装置の更に他の概略図である。
【図２４】実施の形態４によるアンテナ装置の更に他の概略図である。
【図２５】実施の形態４によるアンテナ装置の更に他の概略図である。
【図２６】実施の形態４によるアンテナ装置の更に他の概略図である。
【図２７】実施の形態４によるアンテナ装置の更に他の概略図である。
【図２８】実施の形態４によるアンテナ装置の更に他の概略図である。
【図２９】実施の形態４によるアンテナ装置の更に他の概略図である。
【図３０】実施の形態５によるアンテナ装置の概略図である。
【図３１】図３０に示すアンテナ装置の動作を説明するための第１の概念図である。
【図３２】図３０に示すアンテナ装置の動作を説明するための第２の概念図である。
【図３３】実施の形態５によるアンテナ装置の他の概略図である。
【図３４】バラクタダイオードがほぼ開放（オープン）されたときの相互作用の違いを説明するための図である。
【図３５】実施の形態６によるアンテナ装置の概略図である。
【図３６】実施の形態７によるアンテナ装置の概略図である。
【図３７】実施の形態７によるアンテナ装置の他の概略図である。
【図３８】実施の形態８によるアンテナ装置の概略図である。
【図３９】指向性利得および位相と角度との関係を示す図である。
【図４０】バラクタダイオードの構成図である。
【符号の説明】
【０３５８】
１，１Ａ，１Ｂ，１Ｃ，１Ｄ，１Ｅ，１Ｆ，２０１，３０１，３０１Ａ，４０１，４０２，４０１Ａ，４０２Ａ，４０１Ｂ，４０２Ｂ，４０１Ｃ，４０２Ｃ，４０２Ｄ，４０２Ｅ，４０１Ｈ，４０２Ｈ，４０２Ｉ，４０２Ｊ，５０１，５０１Ａ，７０１，７０２，８０１，８０２  ループ状導体、２，２Ａ，２Ｂ，２Ｃ，２Ｄ，２Ｅ，２Ｆ，３，３Ａ，３Ｂ，３Ｃ，３Ｄ，３Ｅ，３Ｆ，４０３〜４０６，４０３Ａ〜４０６Ａ，４０３Ｈ〜４０６Ｈ，５０２〜５０５，７０３〜７０６，８０３，８０４，ＢＤ，ＢＤ１，ＢＤ２  バラクタダイオード、４，４Ａ，４Ｂ，４Ｃ，４Ｄ，４Ｅ，４Ｆ，６１１，６１２  給電部、１０，１０Ａ，１０Ｂ，１０Ｃ，１０Ｄ，１０Ｅ，１０Ｆ，２１０，２１０Ａ，３１０，３１０Ａ，４１０，４１０Ａ，４１０Ｂ，４１０Ｃ，４１０Ｄ，４１０Ｅ，４１０Ｆ，４１０Ｇ，４１０Ｈ，４１０Ｉ，４１０Ｊ，５１０，５１０Ａ，６１０，７１０，８１０  アンテナ素子部、１１〜１４，１１Ａ〜１４Ａ，１１Ｂ〜１４Ｂ，１１Ｃ〜１３Ｃ，１１Ｄ〜１４Ｄ，１１Ｅ〜１４Ｅ，１１Ｆ〜１３Ｆ，５０，２１１，２１２，３１１〜３１４，３１１Ａ〜３１４Ａ，４１１〜４１８，４１１Ａ〜４１９Ａ，４１１Ｂ〜４２０Ｂ，４１１Ｃ，４１７Ｄ，４１８Ｄ，４１１Ｈ〜４１８Ｈ，４１５Ｉ〜４１８Ｉ，４１５Ｊ〜４１８Ｊ，５１１〜５１４，７１１〜７１７，８１１〜８２４，４１３１，４１３２，４１４２〜４１４３，４１５１，４１５２，５１１１，５１１２，５１１１Ａ〜５１１４Ａ，５１２１，５１２２，５１３１，５１３２，５１４１，５１４２  直線導体、２０，６２０，６３０  同軸ケーブル、２１，６２１，６３１  芯導体、２２，６２２，６３２  絶縁体、２３，６２３，６３３  被覆導体、３０，６５０  直流電源、４０，６４０  交流電源、４１，４１Ａ，４１Ｂ，４１Ｃ，４１Ｄ，４１Ｅ，４１Ｆ，４２，４２Ａ，４２Ｂ，４２Ｃ，４２Ｄ，４２Ｅ，４２Ｆ，６１１Ａ，６１１Ｂ，６１２Ａ，６１２Ｂ  端子、５１，５２，６１，６２  導体部、６０  屈曲導体、１００，１００Ａ，１００Ｂ，１００Ｃ，１００Ｄ，１００Ｅ，１００Ｆ，２００，２００Ａ，３００，３００Ａ，４００，４００Ａ，４００Ｂ，４００Ｃ，４００Ｄ，４００Ｅ，４００Ｆ，４００Ｇ，４００Ｈ，４００Ｉ，４００Ｊ，４００Ｋ，４００Ｌ，４００Ｍ，５００，５００Ａ，６００，７００，７００Ａ，８００  アンテナ装置、２１３，２１４，５１１Ａ〜５１４Ａ  線状導体、３１５，３１５Ａ  誘電体、６１３  抵抗部、６１４  接地板、ＡＸ１〜ＡＸ１６  基軸、ＤＩＲ１〜ＤＩＲ３１  指向性、ＲＡＤ１，ＲＡＤ２  放射器、ＧＵＤ１，ＧＵＤ２  導波器。
【図１】
2006180225.tif 000003
【図２】
2006180225.tif 000004
【図３】
2006180225.tif 000005
【図４】
2006180225.tif 000006
【図５】
2006180225.tif 000007
【図６】
2006180225.tif 000008
【図７】
2006180225.tif 000009
【図８】
2006180225.tif 000010
【図９】
2006180225.tif 000011
【図１０】
2006180225.tif 000012
【図１１】
2006180225.tif 000013
【図１２】
2006180225.tif 000014
【図１３】
2006180225.tif 000015
【図１４】
2006180225.tif 000016
【図１５】
2006180225.tif 000017
【図１６】
2006180225.tif 000018
【図１７】
2006180225.tif 000019
【図１８】
2006180225.tif 000020
【図１９】
2006180225.tif 000021
【図２０】
2006180225.tif 000022
【図２１】
2006180225.tif 000023
【図２２】
2006180225.tif 000024
【図２３】
2006180225.tif 000025
【図２４】
2006180225.tif 000026
【図２５】
2006180225.tif 000027
【図２６】
2006180225.tif 000028
【図２７】
2006180225.tif 000029
【図２８】
2006180225.tif 000030
【図２９】
2006180225.tif 000031
【図３０】
2006180225.tif 000032
【図３１】
2006180225.tif 000033
【図３２】
2006180225.tif 000034
【図３３】
2006180225.tif 000035
【図３４】
2006180225.tif 000036
【図３５】
2006180225.tif 000037
【図３６】
2006180225.tif 000038
【図３７】
2006180225.tif 000039
【図３８】
2006180225.tif 000040
【図３９】
2006180225.tif 000041
【図４０】
2006180225.tif 000042